(57)【要約】  本発明は、インターネット技術の分野に関し、特に、物品情報の送受信方法および装置に関する。前記方法には、収納ボックスの収納ボックス情報を取得するステップと、前記収納ボックス情報に基づいて、前記収納ボックスに収納された物品の少なくとも物品説明情報を含む物品情報を取得するステップと、物品の物品情報を、ユーザに対応するモバイル端末へ送信するステップと、を含む。本発明によれば、収納ボックスに対するリモートモニターおよび制御を実現することができる。【選択図】        図１
2016537733.tif 000002
【特許請求の範囲】
【請求項１】
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、
を含むことを特徴とする、物品情報の送信方法。
【請求項２】
前記収納ボックス情報に基づいて、前記収納ボックスの物品情報を取得するステップは、
前記収納室の室内画像から物品の画像を識別するステップと、
前記物品の画像に基づいて、前記物品説明情報を取得するステップと、
を含むことを特徴とする、請求項１に記載の方法。
【請求項３】
前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む
ことを特徴とする、請求項１に記載の方法。
【請求項４】
前記方法は、
前記物品の第１のタイミングの鮮度を前記計算された鮮度に更新し、前記物品の第１のタイミングを現在タイミングに更新するステップを、さらに含むことを特徴とする、
請求項３に記載の方法。
【請求項５】
前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するステップとを、
さらに含むことを特徴とする、請求項３に記載の方法。
【請求項６】
前記現在タイミング、前記状態情報、前記第１のタイミング、および前記物品の第１のタイミングの鮮度に基づいて、前記物品の鮮度を計算するステップにおいて、
下記の式：
2016537733.tif 000009
により物品の鮮度を計算する（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
ことを特徴とする、請求項３に記載の方法。
【請求項７】
前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップ
を含むことを特徴とする、請求項１〜６のいずれか１項に記載の方法。
【請求項８】
前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、
を含むことを特徴とする、請求項１に記載の方法。
【請求項９】
収納ボックスに収納された物品の、少なくとも物品説明情報を含む物品情報を受信するステップと、
前記物品の物品情報をユーザへ表示するステップと、
を含むことを特徴とする、物品情報の受信方法。
【請求項１０】
前記方法は、
前記収納ボックスが前記収納ボックスに収納された物品の物品情報を取得して送信するように前記ユーザから入力された取得指令を取得し、前記取得指令を収納ボックスへ送信するステップをさらに含むことを特徴とする、
請求項９に記載の方法。
【請求項１１】
前記方法は、
前記ユーザから入力された操作タイプを付加する制御指令を取得するステップと、
制御指令を収納ボックスへ送信して、前記収納ボックスが前記操作タイプに対応する操作を実行するように制御するステップとを、
さらに含むことを特徴とする、請求項９または１０に記載の方法。
【請求項１２】
収納ボックスの収納ボックス情報を取得するための第１の取得モジュールと、
前記収納ボックス情報に基づいて、前記収納ボックスに収納された物品の、少なくとも物品説明情報を含む物品情報を取得するための第２の取得モジュールと、
前記物品の物品情報を、ユーザに対応するモバイル端末へ送信するための送信モジュールと、
を備えることを特徴とする、物品情報の送信装置。
【請求項１３】
前記第２の取得モジュールは、
前記収納室の室内画像から物品の画像を識別するための識別ユニットと、
前記物品の画像に基づいて、前記物品説明情報を取得するための第１の取得ユニットと、
を備えることを特徴とする、請求項１２に記載の装置。
【請求項１４】
前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記第２の取得モジュールは、
前記収納ボックスに収納された物品の、前記物品を冷蔵庫に入れるときのタイミング、若しくは最後に前記物品の鮮度を計算するときのタイミングである第１のタイミングの鮮度を取得するための第２の取得ユニットと、
現在タイミング、前記状態情報、前記第１のタイミング、および前記物品の第１のタイミングの鮮度に基づいて、前記物品の鮮度を計算するための計算ユニットとを、さらに備える、
ことを特徴とする、請求項１２に記載の装置。
【請求項１５】
前記第２の取得モジュールは、
前記物品の第１のタイミングの鮮度を前記計算された鮮度に更新し、前記物品の第１のタイミングを現在タイミングに更新するための更新ユニットをさらに備えることを特徴とする、
請求項１４に記載の装置。
【請求項１６】
前記第２の取得モジュールは、
前記収納ボックスのドアを閉めたと検出する場合、前記収納ボックスの収納室に対して撮影を行い、前記収納室の室内画像を得るための撮影ユニットと、
最後に前記収納ボックスのドアを閉めたときに前記収納ボックス内に収納された物品の物品説明情報および位置情報を取得するための第３の取得ユニットと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するための第４の取得ユニットと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するための確定ユニットとを、
さらに備えることを特徴とする、請求項１４に記載の装置。
【請求項１７】
前記計算ユニットは、下記の式：
2016537733.tif 000010
により物品の鮮度を計算する（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
ことを特徴とする、請求項１４に記載の装置。
【請求項１８】
前記第１の取得モジュールは、
前記ユーザに対応するモバイル端末から送信された取得指令を受信し、前記取得指令の指示に基づいて、収納ボックスの収納ボックス情報を取得するための第５の取得ユニット、
または、
前記収納ボックスの収納ボックス情報を周期的に取得するための第６の取得ユニット
を備えることを特徴とする、請請求項１２〜１７のいずれか１項に記載の装置。
【請求項１９】
前記送信モジュールは、
鮮度が所定の閾値未満である物品を選択するための選択ユニットと、
選択された物品の物品情報をユーザに対応するモバイル端末へ送信するための送信ユニットと、
を備えることを特徴とする請求項１２に記載の処理装置。
【請求項２０】
収納ボックスに収納された物品の、少なくとも物品説明情報を含む物品情報を受信するための受信モジュールと、
前記物品の物品情報をユーザへ表示するための表示モジュールと、
を備えることを特徴とする、物品情報の送受信装置。
【請求項２１】
前記装置は、
前記収納ボックスが前記収納ボックスに収納された物品の物品情報を取得して送信するように前記ユーザから入力された取得指令を取得し、前記取得指令を収納ボックスへ送信するための第２の取得モジュールを、
さらに備えることを特徴とする、請求項２０に記載の装置。
【請求項２２】
前記装置は、
前記ユーザから入力された操作タイプを付加する制御指令を取得するための第１の取得モジュールと、
制御指令を収納ボックスへ送信して、前記収納ボックスが前記操作タイプに対応する操作を実行するように制御するための送信モジュールと、
さらに備えることを特徴とする、請求項２０または２１に記載の装置。
【発明の詳細な説明】
【技術分野】
【０００１】
本願は、出願番号がＣＮ２０１４１０３５４４４９．８であって、出願日が２０１４年０７月２３日である中国特許出願に基づき優先権を主張し、当該中国特許出願のすべての内容を本願に援用する。
【０００２】
本発明は、インターネット技術の分野に関し、特に物品情報の送受信方法および装置に関する。
【背景技術】
【０００３】
人々の生活水準の向上に伴い、冷蔵庫は、多くの家族に入っており、多くの家族の不可欠な電器になっている。冷蔵庫が冷蔵機能を備えるため、ユーザは、よく冷蔵庫を使って物品を収納する。例えば、ユーザは、スーパーマーケットや市場から野菜、肉、卵、および飲料等の物品を購入した場合、これらの物品の保存期間を延長するために、通常、これらの物品を冷蔵庫に入れて収納する。
【発明の概要】
【発明が解決しようとする課題】
【０００４】
本発明を実現する過程において、本発明人は、関連技術に少なくとも次の問題があることを見出した。
【０００５】
ユーザが冷蔵庫に収納されたいくつかの物品を忘れてしまう可能性があるため、これらの物品は、冷蔵庫における収納時間が長すぎて変質になってしまう場合があり、または、ユーザが物品を購入するとき、冷蔵庫に収納されたいくつか物品を忘れてしまうため、再びこれらの物品を購入する場合がある。
【課題を解決するための手段】
【０００６】
従来の関連技術の問題点を克服するために、本発明は、物品情報の送受信方法および装置を提供する。
【０００７】
本発明に係る実施例の第１態様では、
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、
を含む物品情報の送信方法を提供する。
【０００８】
好ましくは、前記収納ボックス情報に基づいて、前記収納ボックスの物品情報を取得するステップは、
前記収納室の室内画像から物品の画像を識別するステップと、
前記物品の画像に基づいて、前記物品説明情報を取得するステップと、を含む。
【０００９】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む。
【００１０】
好ましくは、前記方法は、
前記物品の第１のタイミングの鮮度を前記計算された鮮度に更新し、前記物品の第１のタイミングを現在タイミングに更新するステップを、さらに含む。
【００１１】
好ましくは、前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するステップとを、さらに含む。
【００１２】
好ましくは、前記現在タイミング、前記状態情報、前記第１のタイミング、および前記物品の第１のタイミングの鮮度に基づいて、前記物品の鮮度を計算するステップにおいて、
下記の式：
2016537733.tif 000003
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【００１３】
好ましくは、前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップを含む。
【００１４】
好ましくは、前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、を含む。
【００１５】
本発明に係る実施例の第２態様では、
収納ボックスに収納された物品の、少なくとも物品説明情報を含む物品情報を受信するステップと、
前記物品の物品情報をユーザへ表示するステップと、を含む物品情報の受信方法を提供する。
【００１６】
好ましくは、前記方法は、
前記収納ボックスが前記収納ボックスに収納された物品の物品情報を取得して送信するように前記ユーザから入力された取得指令を取得し、前記取得指令を収納ボックスへ送信するステップを、さらに含む。
【００１７】
好ましくは、前記方法は、
前記ユーザから入力された操作タイプを付加する制御指令を取得するステップと、
制御指令を収納ボックスへ送信して、前記収納ボックスが前記操作タイプに対応する操作を実行するようにを制御するステップとを、さらに含む。
【００１８】
本発明に係る実施例の第３態様では、
収納ボックスの収納ボックス情報を取得するための第１の取得モジュールと、
前記収納ボックス情報に基づいて、前記収納ボックスに収納された物品の、少なくとも物品説明情報を含む物品情報を取得するための第２の取得モジュールと、
前記物品の物品情報を、ユーザに対応するモバイル端末へ送信するための送信モジュールと、
を備える物品情報の送信装置を提供する。
【００１９】
好ましくは、前記第２の取得モジュールは、
前記収納室の室内画像から物品の画像を識別するための識別ユニットと、
前記物品の画像に基づいて、前記物品説明情報を取得するための第１の取得ユニットと、を備える。
【００２０】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記第２の取得モジュールは、
前記収納ボックスに収納された物品の、前記物品を冷蔵庫に入れるときのタイミング、若しくは最後に前記物品の鮮度を計算するときのタイミングである第１のタイミングの鮮度を取得するための第２の取得ユニットと、
現在タイミング、前記状態情報、前記第１のタイミング、および前記物品の第１のタイミングの鮮度に基づいて、前記物品の鮮度を計算するための計算ユニットとを、さらに備える。
【００２１】
好ましくは、前記第２の取得モジュールは、
前記物品の第１のタイミングの鮮度を前記計算された鮮度に更新し、前記物品の第１のタイミングを現在タイミングに更新するための更新ユニットを、さらに備える。
【００２２】
好ましくは、前記第２の取得モジュールは、
前記収納ボックスのドアを閉めたと検出する場合、前記収納ボックスの収納室に対して撮影を行い、前記収納室の室内画像を得るための撮影ユニットと、
最後に前記収納ボックスのドアを閉めたときに前記収納ボックス内に収納された物品の物品説明情報および位置情報を取得するための第３の取得ユニットと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するための第４の取得ユニットと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するための確定ユニットとを、さらに備える。
【００２３】
好ましくは、前記計算ユニットは、
下記の式：
2016537733.tif 000004
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【００２４】
好ましくは、前記第１の取得モジュールは、
前記ユーザに対応するモバイル端末から送信された取得指令を受信し、前記取得指令の指示に基づいて、収納ボックスの収納ボックス情報を取得するための第５の取得ユニット、
または、
前記収納ボックスの収納ボックス情報を周期的に取得するための第６の取得ユニットを備える。
【００２５】
好ましくは、前記送信モジュールは、
鮮度が所定の閾値未満である物品を選択するための選択ユニットと、
選択された物品の物品情報をユーザに対応するモバイル端末へ送信するための送信ユニットと、を備える。
【００２６】
本発明に係る実施例の第４態様では、
収納ボックスに収納された物品の、少なくとも物品説明情報を含む物品情報を受信するための受信モジュールと、
前記物品の物品情報をユーザへ表示するための表示モジュールと、
を備える物品情報の受信装置を提供する。
【００２７】
好ましくは、前記装置は、前記収納ボックスが前記収納ボックスに収納された物品の物品情報を取得して送信するように前記ユーザから入力された取得指令を取得し、前記取得指令を収納ボックスへ送信するための第２の取得モジュールを、さらに備える。
【００２８】
好ましくは、前記装置は、
前記ユーザから入力されたが操作タイプを付加する制御指令を取得するための第１の取得モジュールと、
制御指令を収納ボックスへ送信して、前記収納ボックスが前記操作タイプに対応する操作を実行するように制御するための送信モジュールとを、さらに備える。
【００２９】
本発明に係る実施例に提供された技術案では、次の有益な効果を果たすことができる。
【００３０】
収納ボックスに収納された物品の物品情報を取得し、物品の物品情報は、少なくとも物品の物品説明情報を含み、物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避ける。
【００３１】
以上の一般的な説明及び後述の詳細な説明は、例示的なものに過ぎず、本発明を限定するものではないことを理解すべきである。
【図面の簡単な説明】
【００３２】
以下の図面は、本願の一部分として、本発明に対する更なる理解を図るためのものであって、本発明に対する限定として捉えてはいけない。
【図１】一つの例示的な実施例に係る物品情報の送信方法のフローチャートである。
【図２】一つの例示的な実施例に係る物品情報の受信方法のフローチャートである。
【図３−１】一つの例示的な実施例に係る物品情報の送信方法のフローチャートである。
【図３−２】一つの例示的な実施例に係る第１の室内画像を模式的に示す図である。
【図３−３】一つの例示的な実施例に係る第２の室内画像を模式的に示す図である。
【図３−４】一つの例示的な実施例に係る第３の室内画像を模式的に示す図である。
【図４−１】一つの例示的な実施例に係る物品情報の送信装置のブロック図である。
【図４−２】一つの例示的な実施例に係る第１の取得モジュールの構成を示すブロック図である。
【図５】一つの例示的な実施例に係る物品情報の受信装置のブロック図である。
【図６】一つの例示的な実施例に係る端末の構造を示すブロック図である。
【図７】一つの例示的な実施例に係るモバイル端末の構造を示すブロック図である。
【００３３】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３４】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００３５】
実施例１
図１は、一つの例示的な実施例に係る物品情報の送信方法を示すフローチャートである。図１に示すように、前記物品情報の送信方法は、端末に適用され、次のステップ１０１〜１０３を含む。
【００３６】
ステップ１０１において、収納ボックスの収納ボックス情報を取得する。
【００３７】
ステップ１０２において、収納ボックス情報に基づいて、収納ボックスに収納された物品の、少なくとも物品説明情報を含む物品情報を取得する。
【００３８】
ステップ１０３において、物品の物品情報を、ユーザに対応するモバイル端末へ送信する。
【００３９】
本発明の実施例では、収納ボックスに収納された物品の、少なくとも物品説明情報を含む物品情報を取得し、物品の物品情報をユーザに対応するモバイル端末へ送信することにより、ユーザが収納ボックスに対するリモートモニターおよびリモート制御を実現することができ、ユーザが収納ボックスに収納された物品を忘れることを避ける。
【００４０】
実施例２
図２は、一つの例示的な実施例に係る物品情報の受信方法を示すフローチャートである。図２に示すように、前記物品情報の受信方法は、端末に適用され、次のステップ２０１〜２０２を含む。
【００４１】
ステップ２０１において、収納ボックスに収納された物品の、少なくとも物品説明情報を含む物品情報を受信する。
【００４２】
ステップ２０２において、当該物品の物品情報をユーザへ表示する。
【００４３】
本発明の実施例では、収納ボックスに収納された物品の物品情報を受信し、当該物品の物品情報をユーザへ表示し、ユーザから入力された操作タイプを付加する制御指令を取得し、該制御指令を収納ボックスへ送信して、収納ボックスが当該操作タイプに対応する操作を実行するように制御することにより、ユーザが収納ボックスに対するリモートモニターおよびリモート制御を実現し、ユーザが収納ボックスに収納された物品を忘れることを避ける。
【００４４】
実施例３
図３−１に示すように、本発明の実施例は、次のステップ３０１〜３０７を含む物品情報の送信方法を提供する。
【００４５】
ステップ３０１において、制御端末がユーザに対応するモバイル端末から送信された取得指令を受信し、制御端末が収納ボックスと接続されている。
【００４６】
収納ボックスは、冷蔵庫、冷凍ショーケース、または箪笥等であってもよい。ユーザは、収納ボックス内に収納された物品情報を取得する必要となる場合がある。例えば、冷蔵庫を例とすると、ユーザがスーパーマーケットで物品を買う場合、重複に買うことを避けるために、冷蔵庫内にすでに収納された物品を知る必要がある。この場合、ユーザは、その対応するモバイル端末をトリガーして取得指令を冷蔵庫と接続されている制御端末へ送信し、制御端末により冷蔵庫内における物品の物品情報を取得するように要求する。
【００４７】
収納ボックス内おいて、異なる収納室は、異なるタイプの物品を収納する可能性があり、例えば、ある収納室が野菜の収納に用いられ、ある収納室が果物の収納に用いられる。ユーザは、ある１つの収納室内における物品の物品情報だけを知る必要となる場合があり、このとき、ユーザは、取得しようとする収納室の標識をモバイル端末へ入力することができ、モバイル端末が取得しようとする収納室の標識を付加した取得指令を再送信する。例えば、ユーザが食料品のマーケットで野菜を買う場合、野菜を収納するための収納室内における物品の物品情報だけを知る必要となる場合があり、このとき、ユーザは、野菜を収納するための収納室の標識をモバイル端末へ入力することができ、モバイル端末が野菜を収納するための収納室の標識を付加した取得指令を再送信する。
【００４８】
選択的に、制御端末は、収納ボックスの内に位置してもよく、収納ボックスの外に位置してもよい。収納ボックスの外に位置する場合、制御端末と収納ボックスとがホームＬＡＮ（ローカルエリアネットワーク）を介して接続することができ、ホームＬＡＮは、有線ネットワーク、無線ＷＩＦＩ、ブルートゥース、若しくは赤外線等であってもよい。制御端末が収納ボックスの外に位置する場合、制御端末は、ルーターであってもよい。
【００４９】
ステップ３０２において、制御端末が取得指令の指示に基づいて、収納ボックスの収納ボックス情報を取得する。
【００５０】
当該収納ボックス情報は、収納ボックスに関する情報を含む。例えば、当該収納ボックス情報は、収納ボックスの収納室の室内画像を含み、または、収納ボックスの状態情報を含み、または、収納ボックスの収納室の室内画像および状態情報等を含んでもよい。
【００５１】
制御端末は、少なくとも一つのカメラを含む。制御端末に含まれるカメラは、いずれも、収納ボックスの収納室内に装着されている。制御端末が収納ボックスの外に位置する場合、カメラと制御端末とがホームＬＡＮを介して接続されていることができる。好ましくは、多角度で全方位で収納室の画像を撮影するように、各収納室の４つの頂角の位置に、それぞれ一つのカメラを装着している。
【００５２】
当該ステップでは、制御端末がモバイル端末から送信された取得指令を受信し、当該取得指令の指示に基づいて、カメラを制御して収納ボックスの収納室に対して撮影を行い、収納ボックスの収納室の室内画像を取得することであってもよい。
【００５３】
好ましくは、当該収納ボックスの状態情報は、収納ボックスの収納室の温度、湿度および細菌密度のうちの少なくとも一つを含む。制御端末は、さらに、温度センサ、湿度センサ、細菌密度検知器のうちの少なくとも一つを含み、温度センサを収納ボックスの収納室内に装着してもよく、湿度センサを収納ボックスの収納室内に装着してもよく、または、細菌密度検知器を収納ボックスの収納室内に装着してもよい。温度センサ、湿度センサ、および細菌密度検知器のうちの任意の２つを収納ボックスの収納室内に装着してもよく、または、温度センサ、湿度センサ、および細菌密度検知器を全て収納ボックスの収納室内に装着してもよい。好ましくは、収納ボックスの状態情報をそれぞれ取得するように、収納ボックスの各収納室においてそれぞれ一つの温度センサ、一つの湿度センサ、および一つの細菌密度検知器を装着する。制御端末が収納ボックスの外に位置する場合、制御端末と温度センサ、湿度センサおよび細菌密度検知器との間に、いずれも、ホームＬＡＮを介して接続されていることができる。
【００５４】
当該ステップでは、制御端末が当該取得指令の指示に基づいて、収納室内の温度をモニターするように温度センサを制御し、収納室内の湿度をモニターするように湿度センサを制御し、収納室内の細菌密度をモニターするように細菌密度検知器を制御して、温度センサでモニターされた収納室内の温度、湿度センサでモニターされた収納室内の湿度、および細菌密度検知器でモニターされた収納室内の細菌密度を取得する。
【００５５】
好ましくは、当該取得指令がさらに取得しようとする収納室の標識を付加すれば、取得しようとする収納室の標識に基づいて取得しようとする収納室の収納ボックス情報を取得する場合、次のようにしてもよく、即ち、
制御端末は、取得指令に付加された取得しようとする収納室の標識に基づいて、取得しようとする収納室内に位置するカメラを制御して取得しようとする収納室に対して撮影を行い、取得しようとする収納室の室内画像を得る。
【００５６】
例えば、制御端末に受信された取得指令が野菜を収納するための収納室の標識を付加する場合、野菜を収納するための収納室内におけるカメラを制御して野菜を収納するための収納室に対して撮影を行い、野菜を収納するための収納室の室内画像を得る。
【００５７】
好ましくは、取得しようとする収納室の状態情報をさらに取得する場合、次のようにしてもよく、即ち、
制御端末は、取得指令に付加された取得しようとする収納室の標識に基づいて、取得しようとする収納室内に位置する温度センサを制御して取得しようとする収納室内の温度をモニターし、取得しようとする収納室内に位置する湿度センサを制御して取得しようとする収納室内の湿度をモニターし、取得しようとする収納室に位置する細菌密度検知器を制御して取得しようとする収納室内の細菌密度をモニターする。
【００５８】
好ましくは、当該ステップを実行する前に、収納ボックスのドアを開ける場合、制御端末は、収納ボックスの収納室内におけるカメラを制御することで収納ボックスの収納室に対して撮影を行い、撮影された室内画像を取る。より好ましくは、制御端末は、さらにメモリを含み、撮影された室内画像をメモリ内に記憶する。
【００５９】
それに応じて、当該ステップでは、取得指令の指示に基づいて、メモリ内に記憶された直前の前回で撮影された収納ボックスの収納室の室内画像を取得してもよい。
【００６０】
ステップ３０３において、収納室の室内画像から物品画像を識別し、物品画像に基づいて物品の、少なくとも物品説明情報を含む物品情報を取得する。
【００６１】
物品の物品説明情報は、物品の名称および／または紹介情報等を含む。当該ステップを実行する前に、標準物品画像と物品説明情報との対応関係リストをメモリに記憶し、標準物品画像と物品説明情報との対応関係リストは、各物品に対応する少なくとも一つの標準物品画像および物品説明情報を記憶するために用いられる。
【００６２】
当該ステップでは、収納室の室内画像から、物品の画像を識別し、それぞれ、当該物品の画像と、標準物品画像と物品説明情報との対応関係リストにおける各標準物品画像との間の類似度を計算し、当該物品の画像との間の類似度が最も高い標準物品画像を選択し、選択された標準物品画像に基づいて、標準物品画像と物品説明情報との対応関係リストから、対応の物品説明情報を取得し、取得された物品説明情報を当該物品の物品説明情報としてもよい。
【００６３】
例えば、表１に示すような標準物品画像と物品の説明情報の対応関係リストでは、当該対応関係リストは標準物品画像１、２および３を含み、標準物品画像１、２および３は、それぞれ、リンゴ画像、梨画像および桃画像であり、標準物品画像１、２および３がそれぞれ対応する物品の説明情報は、それぞれ、リンゴ、梨および桃である。
【００６４】
収納室の室内画像から、図３−２に示される物品の画像を識別し、当該物品の画像が一つのリンゴ画像であり、当該物品の画像と表１における標準物品画像１、２および３との間の類似度をそれぞれ計算し、ここで、当該物品の画像との間の類似度が最も高いのは、標準物品画像１であり、標準物品画像１に基づいて表１から標準物品画像１に対応する物品説明情報の「リンゴ」を取得し、「リンゴ」を当該物品の物品説明情報とする。
【００６５】
【表１】
2016537733.tif 000005
【００６６】
好ましくは、物品の物品情報は、さらに物品の鮮度を含み、鮮度は、物品の新鮮な程度を示すために用いられる。ステップ３０３において、さらに物品の鮮度を取得してもよく、以下のような第１のステップ、および第２のステップという２つのステップを含む。
【００６７】
第１のステップは、収納ボックスに収納された物品の第１のタイミングの鮮度を取得し、第１のタイミングは、当該物品を収納ボックスに入れるときのタイミング、若しくは最後に当該物品鮮度を計算するときのタイミングである。
【００６８】
ここで、物品を収納ボックスに入れるとき、現在のタイミングを当該物品の第１のタイミングとし、およびディフォルト鮮度を当該物品の第１のタイミングの鮮度とし、当該物品の物品説明情報、第１のタイミングおよび第１のタイミングの鮮度を、物品説明情報、第１のタイミングと鮮度との対応関係に記憶する。または、ある物品の鮮度を計算する場合、物品説明情報、第１のタイミングと鮮度との対応関係に記憶された当該物品の第１のタイミングおよび第１のタイミングの鮮度を、それぞれ現在のタイミングおよび計算された現在の鮮度に更新する。ディフォルト鮮度は、１００、９５、または９０等の数値であってもよい。
【００６９】
第１のステップにおいて、当該物品の物品説明情報に基づいて、物品説明情報、第１のタイミングと鮮度との対応関係から、当該物品の第１のタイミングの鮮度を取得する。
【００７０】
第２のステップにおいて、現在タイミング、収納ボックスの状態情報、取得された第１のタイミングおよび当該物品の第１のタイミングの鮮度に基づいて、当該物品の鮮度を計算する。
【００７１】
下記の式：
2016537733.tif 000006
により物品の鮮度を計算する。
【００７２】
式中、Ｘは当該物品の鮮度であり、Ｘ０は当該物品の第１のタイミングの鮮度であり、ｔ１は現在タイミングであり、ｔ０は第１のタイミングであり、Ｔは減衰サイクルの長さであり、Ａは一つの減衰サイクルにおける鮮度減衰標準値であり、Ｂは物品の減衰係数であり、Ｔ１は当該物品のある収納室の温度であり、Ｔ０は経験温度であり、ＴＣは温度係数であり、Ｈ１は当該物品のある収納室の湿度であり、Ｈ０は経験湿度であり、ＨＣは湿度係数であり、Ｐ１は当該物品のある収納室の細菌密度であり、Ｐ０は経験細菌密度であり、ＰＣは細菌密度係数である。
【００７３】
ただし、Ａ、Ｂ、Ｔ０、Ｈ０、Ｐ０、ＴＣ、ＨＣ、ＰＣは、いずれも、予め設定された固定値であり、好ましくは、ユーザにより予め設定されることができる。
【００７４】
さらに、物品説明情報、第１のタイミングと鮮度との対応関係において、当該物品の第１のタイミングの鮮度を、計算された鮮度に更新し、当該物品の第１のタイミングを現在タイミングに更新する。
【００７５】
ここで、説明すべきことは、ユーザが収納ボックスのドアを開けるときに、収納ボックスから物品を取り出し、または新たな物品を入れた後収納ボックスのドアを閉める可能性がある。したがって、収納ボックスのドアを開けた後に閉めるたびに、いずれも、物品説明情報、第１のタイミングと鮮度との対応関係に対して更新を行う必要があり、具体的には、以下のステップ（１）〜（６）を含む。
【００７６】
（１）  収納ボックスのドアを閉めたと検出する場合、収納ボックスの収納室に対して撮影を行い、収納室の室内画像を得る。
【００７７】
ユーザが収納ボックスのドアを閉めた後、制御端末が収納ボックスのドアを閉めたと検出し、収納室内におけるカメラを制御することで収納室に対して撮影を行い、撮影の画像を収納室の室内画像とする。
【００７８】
（２）  最後に収納ボックスのドアを閉めたときに収納ボックス内に収納された物品の物品説明情報および位置情報を取得する。
【００７９】
当該ステップでは、物品説明情報と位置情報との対応関係から、最後に収納ボックスのドアを閉めたときに収納ボックス内に収納された物品の物品説明情報および位置情報を取得する。
【００８０】
例えば、図３−３に示すように、最後に収納ボックスのドアを閉めたときに収納ボックス内に収納された物品は、リンゴおよび卵を含み、リンゴの位置情報は、当該収納室の東北角に位置することであり、卵の位置情報は、当該収納室の東南角に位置することである。
【００８１】
（３）  収納室の室内画像、および最後に収納ボックスのドアを閉めたときに収納ボックス内に収納された物品の物品説明情報と位置情報に基づいて、収納ボックスに最も新しく入れる物品およびユーザが取り出した物品を取得する。
【００８２】
当該ステップでは、収納室の室内画像に基づいて現在の収納ボックス内における各物品の物品説明情報および位置情報を取得し、それぞれ、現在の収納ボックス内における各物品の物品説明情報および位置情報と、最後に収納ボックスのドアを閉めたときに収納ボックス内に収納された物品の物品説明情報および位置情報とを比較して、収納ボックスに最も新しく入れる物品および取り出した物品を得てもよい。
【００８３】
例えば、図３−４に示すように、収納室の室内画像に基づいて、現在の収納ボックス内における物品の説明情報がそれぞれリンゴ、イチゴおよびブドウであり、およびリンゴの位置情報が当該収納室の東北角であり、イチゴの位置情報が当該収納室の東南角であり、ブドウの位置情報は、当該収納室の西北角であることを取得し、現在の収納ボックス内における各物品の物品説明情報および位置情報と最後に収納ボックスのドアを閉めたときに収納ボックス内に収納された物品の物品説明情報および位置情報とを比較して、収納ボックスに最も新しく入れる物品がイチゴおよびブドウであり、ユーザが取り出した物品が卵であることを得る。
【００８４】
（４）  現在タイミングを収納ボックスに最も新しく入れる物品の第１のタイミングに確定し、収納ボックスに最も新しく入れる物品の鮮度を、ディフォルト鮮度に設置する。
【００８５】
（５）  収納ボックスに最も新しく入れる物品の物品説明情報、第１のタイミングおよび第１のタイミングの鮮度を、物品説明情報、第１のタイミングと鮮度との対応関係に記憶する。
【００８６】
（６）  物品説明情報、第１のタイミングと鮮度との対応関係から、取り出された物品の物品説明情報、第１のタイミングおよび鮮度を削除する。
【００８７】
さらに、収納ボックスに最も新しく入れる物品の物品説明情報および位置情報を、物品説明情報と位置情報との対応関係に記憶し、および物品説明情報と位置情報との対応関係から、取り出された物品の物品説明情報および位置情報を削除する。
【００８８】
説明すべきことは、物品を収納ボックスに入れた後、所定の時間おきに当該物品の鮮度を計算し、且つ物品説明情報、第１のタイミングと鮮度との対応関係を更新する必要があり、具体的に次のようにしてもよい。
【００８９】
まず、物品説明情報、第１のタイミングと鮮度との対応関係から、第１のタイミングと現在タイミングとの時間間隔が所定の時間に達した物品を、周期的に取得する。
【００９０】
その後、現在収納ボックスの状態情報を取得し、現在タイミング、当該状態情報、当該物品の第１のタイミングおよび第１のタイミングの鮮度に基づいて、現在の当該物品の鮮度を計算する。
【００９１】
当該ステップでは、収納ボックス内に位置する温度センサ、湿度センサ、および／または細菌密度検知器を制御して収納ボックスの状態情報を収集し、その後上記の式（１）により現在の当該物品の鮮度を計算してもよい。
【００９２】
最後、物品説明情報、第１のタイミングと鮮度との対応関係において、当該物品の第１のタイミングを現在タイミングに更新し、当該物品の鮮度を現在当該物品の鮮度に更新する。
【００９３】
好ましくは、現在の物品の鮮度を計算した後、さらに鮮度が所定の閾値より小さい物品を取得し、ユーザに対応するモバイル端末へ提示メッセージを送信してもよく、当該提示メッセージは、少なくとも提示内容および取得された物品の物品説明情報を付加し、例えば、提示内容は、「こんにちは、収納ボックスにおけるリンゴの鮮度が所定の閾値より低く、既に変質した可能性があり、速やかにご対応ください。」であってもよい。
【００９４】
ステップ３０４において、制御端末は、取得された物品の物品情報を、ユーザに対応するモバイル端末へ送信する。
【００９５】
好ましくは、制御端末は、さらに、収納ボックスの収納室の室内画像をユーザに対応するモバイル端末へ送信してもよい。
【００９６】
好ましくは、本発明の実施例において、制御端末は、さらに、収納ボックス内における各物品の状態をユーザに通知するように、収納ボックス内に収納された物品の物品情報を周期的に取得し、且つ取得された物品情報をユーザに対応するモバイル端末へ送信してもよい。即ち、収納ボックスの収納ボックス情報を周期的に取得し、その後上記ステップ３０３および３０４を再実行して収納ボックスに収納された物品の物品情報を取得し、且つユーザに対応するモバイル端末へ送信する。
【００９７】
好ましくは、制御端末は、ＷＩＦＩ、ブルートゥース若しくは赤外線等により物品の物品情報を先にルーターへ送信し、ルーターは、さらに有線ネットワーク若しくは無線ネットワークにより物品の物品情報をユーザに対応するモバイル端末へ送信してもよい。
【００９８】
ステップ３０５において、モバイル端末は、制御端末から送信された物品の物品情報を受信し、物品の物品情報をスクリーンに表示する。
【００９９】
ユーザが在宅しないが、帰宅すると冷やした飲料を飲みたい場合があり、このとき、物品に対して冷やすように収納ボックスを制御してもよく、または、ユーザが帰宅すると直接に解凍後の物品を使用したい場合があり、このとき、物品に対して解凍するように収納ボックスを制御してもよい。
【０１００】
ユーザは、少なくとも操作タイプを付加する制御指令を設置し、当該制御指令をモバイル端末へ再入力する。操作タイプは、冷やし若しくは解凍であってもよい。
【０１０１】
好ましくは、当該制御指令は、制御しようとする収納室の標識を付加する。
【０１０２】
ステップ３０６において、モバイル端末は、ユーザから入力された少なくとも操作タイプを付加する制御指令を取得し、制御指令を制御端末へ送信する。
【０１０３】
ステップ３０７において、制御端末は、モバイル端末から送信された制御指令を受信し、当該制御指令に付加された操作タイプに基づいて、収納ボックスを制御して当該操作タイプに対応する操作を実行する。
【０１０４】
当該ステップでは、制御指令に操作タイプおよび制御しようとする収納室の標識を付加する場合、当該操作タイプおよび制御しようとする収納室の標識に基づいて、収納ボックスを制御して制御しようとする収納室に対して当該操作タイプに対応する操作を実行してもよい。
【０１０５】
収納ボックスにおいて、飲料等のような物品を一つの収納室に入れ、常に当該収納室のみに対して冷やす必要があるため、事前に冷やし操作タイプおよび当該収納室の標識を操作タイプと収納室の標識との対応関係に記憶しておいてもよく、また、収納ボックスにおいて、凍結の必要がある物品は、通常、凍結用の収納室内に収納されているため、当該収納室のみに対して解凍する必要がある。
【０１０６】
当該ステップでは、当該制御指令に付加される操作タイプに基づいて、操作タイプとディフォルト収納室の標識との対応関係から、当該操作タイプに対応する収納室の標識を見つけ、収納ボックスを制御して当該収納室の標識に対応する収納室に対して、当該操作タイプに対応する操作を実行する。
【０１０７】
操作タイプと収納室の標識との対応関係は、技術者により収納ボックスを出荷する前に配置してもよく、ユーザにより設置してもよい。
【０１０８】
例えば、冷やし操作タイプに対応するディフォルト収納室は、収納室１であり、解凍操作タイプに対応するディフォルト収納室は、収納室２である場合、冷やし操作タイプと収納室１の標識ＩＤ１とを操作タイプとディフォルト収納室の標識との対応関係に記憶し、解凍操作タイプと収納室２の標識ＩＤ２とを、操作タイプとディフォルト収納室の標識との対応関係に記憶する。制御指令に付加された操作タイプが冷やし操作タイプであると仮定すると、当該冷やし操作タイプに基づいて、操作タイプと収納室の標識との対応関係から、対応する収納室１の標識ＩＤ１を取得し、収納ボックスを制御して、対応する収納室１に対して、冷やし操作タイプに対応する冷やし操作を実行する。
【０１０９】
本発明の実施例において、収納ボックスと接続されている制御端末は、モバイル端末から送信された取得指令を受信し、収納ボックスの収納ボックス情報を取得し、収納ボックス情報は、少なくとも収納ボックスの収納室の室内画像を含み、さらに収納室の温度値、湿度値、細菌密度値を含んでもよく、収納ボックス情報に基づいて、収納ボックスに収納された物品の物品情報を取得し、物品の物品情報は、少なくとも物品の物品説明情報を含み、また冷蔵庫内に収納された物品の鮮度をも含んでもよく、物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避け、収納時間が長すぎることによる物品の変質を避ける。
【０１１０】
実施例４
同一技術的構想に基づいて、本発明の実施例では、さらに、図４−１に示すように、
収納ボックスの収納ボックス情報を取得するための第１の取得モジュール４０１と、
当該収納ボックス情報に基づいて、収納ボックスに収納された物品の、少なくとも、物品説明情報を含む物品情報を取得するための第２の取得モジュール４０２と、
物品の物品情報を、ユーザに対応するモバイル端末へ送信するための送信モジュール４０３と、を備える物品情報の送信装置を提供する。
【０１１１】
図４−２に示すように、第１の取得モジュール４０１は、プロセッサ、および収納ボックスの収納室内に位置するカメラを含んでもよい。
【０１１２】
プロセッサは、収納ボックス内における収納室に対して撮影して収納ボックスの収納室の室内画像を得るように、カメラを制御するために用いられる。
【０１１３】
好ましくは、当該収納ボックス情報は、さらに収納ボックスの状態情報を含み、当該状態情報は、収納ボックスの収納室の温度、湿度および細菌密度のうちの少なくとも一つを含む。
【０１１４】
好ましくは、第１の取得モジュール４０１は、さらに、温度センサ、湿度センサ、および細菌検知器のうちの少なくとも１つを備えてもよい。温度センサ、湿度センサ、および細菌検知器は、収納ボックスの収納室内に位置する。
【０１１５】
また、プロセッサは、それぞれ、収納室の温度、湿度および／または細菌密度をモニターするように、温度センサ、湿度センサおよび／または細菌検知器を制御するために用いられる。
【０１１６】
好ましくは、第１の取得モジュール４０１は、メモリを備えてもよく、
プロセッサは、収納室の室内画像、温度、湿度および／または細菌密度を当該メモリに記憶するために用いられる。
【０１１７】
好ましくは、第２の取得モジュール４０２は、
収納室の室内画像から物品の画像を識別するための識別ユニットと、
当該物品の画像に基づいて、当該物品の物品説明情報を取得するための第１の取得ユニットと、を備える。
【０１１８】
好ましくは、当該物品の物品情報は、さらに、当該物品の鮮度を含み
第２の取得モジュール４０２は、
収納ボックスに収納された物品の、当該物品を冷蔵庫に入れるときのタイミング、若しくは最後に当該物品の鮮度を計算するときのタイミングである第１のタイミングの鮮度を取得するための第２の取得ユニットと、
現在タイミング、当該状態情報、当該第１のタイミング、および当該物品の第１のタイミングの鮮度に基づいて、当該物品の鮮度を計算するための計算ユニットとを、さらに備える。
【０１１９】
好ましくは、第２の取得モジュール４０２は、
当該物品の第１のタイミングの鮮度を、計算された鮮度に更新し、当該物品の第１のタイミングを現在タイミングに更新するための更新ユニットとを、さらに備える。
【０１２０】
好ましくは、第２の取得モジュール４０２は、
収納ボックスのドアを閉めたと検出する場合、収納ボックスの収納室に対して撮影を行い、収納室の室内画像を得るための撮影ユニットと、
最後に収納ボックスのドアを閉めたときに収納ボックス内に収納された物品の物品説明情報および位置情報を取得するための第３の取得ユニットと、
収納室の室内画像、および最後に収納ボックスのドアを閉めたときに収納ボックス内に収納された物品の物品説明情報と位置情報に基づいて、収納ボックスに最も新しく入れる物品を取得するための第４の取得ユニットと、
現在タイミングを収納ボックスに最も新しく入れる物品の第１のタイミングに確定し、および収納ボックスに最も新しく入れる物品の第１のタイミングの鮮度を、ディフォルト鮮度に設置するための確定ユニットとを、さらに備える。
【０１２１】
好ましくは、計算ユニットは、
下記の式：
2016537733.tif 000007
により物品の鮮度を計算することに用いられる。
（式中、Ｘは物品の鮮度であり、Ｘ０は物品の第１のタイミングの鮮度であり、ｔ１は現在タイミングであり、ｔ０は第１のタイミングであり、Ｔは減衰サイクルの長さであり、Ａは一つの減衰サイクルにおける鮮度減衰標準値であり、Ｂは物品の減衰係数であり、Ｔ１は物品のある収納室の温度であり、Ｔ０は経験温度であり、ＴＣは温度係数であり、Ｈ１は物品のある収納室の湿度であり、Ｈ０は経験湿度であり、ＨＣは湿度係数であり、Ｐ１は物品のある収納室の細菌密度であり、Ｐ０は経験細菌密度であり、ＰＣは細菌密度係数である。）
【０１２２】
好ましくは、第１の取得モジュール４０１は、
ユーザに対応するモバイル端末から送信された取得指令を受信し、取得指令の指示に基づいて、収納ボックスの収納ボックス情報を取得するための第５の取得ユニット、
または、
収納ボックスの収納ボックス情報を周期的に取得するための第６の取得ユニット
を備える。
【０１２３】
好ましくは、送信モジュール４０３は、
鮮度が所定の閾値未満である物品を選択するための選択ユニットと、
選択された物品の物品情報をユーザに対応するモバイル端末へ送信するための送信ユニットと、を備える。
【０１２４】
本発明の実施例において、モバイル端末から送信された取得指令を受信し、収納ボックスの収納ボックス情報を取得し、当該収納ボックス情報は、少なくとも収納ボックスの収納室の室内画像を含み、当該収納ボックス情報に基づいて、収納ボックスに収納された物品の物品情報を取得し、当該物品の物品情報は、少なくとも当該物品の物品説明情報を含み、当該物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避ける。
【０１２５】
実施例５
同一技術的構想に基づいて、本発明の実施例では、さらに、図５に示すように、
収納ボックスに収納された物品の、少なくとも物品説明情報を含む物品情報を受信するための受信モジュール５０１と、
当該物品の物品情報をユーザへ表示するための表示モジュール５０２と、を備える物品情報の受信装置を提供する。
【０１２６】
好ましくは、当該装置は、
収納ボックスが収納ボックスに収納された物品の物品情報を取得して送信するように、ユーザから入力された取得指令を取得し、取得指令を収納ボックスへ送信するための第２の取得モジュールを、さらに備える。
【０１２７】
好ましくは、当該装置は、
ユーザから入力された操作タイプを付加する制御指令を取得するための第１の取得モジュールと、
当該制御指令を収納ボックスへ送信し、収納ボックスが当該操作タイプに対応する操作を実行するように制御するための送信モジュールとを、さらに備える。
【０１２８】
本発明の実施例では、収納ボックスに収納された物品の物品情報を受信し、当該物品の物品情報をユーザへ表示し、ユーザから入力された制御指令を取得し、当該制御指令が操作タイプを付加し、当該制御指令を収納ボックスへ送信し、収納ボックスが当該操作タイプに対応する操作を実行するように制御し、したがって、ユーザが収納ボックスに対するリモートモニターおよびリモート制御を実現し、ユーザが収納ボックスに収納された物品を忘れることを避ける。
【０１２９】
実施例６
図６は、例示的な実施例に係る物品情報を送信する端末８００を示すブロック図である。例えば、端末８００は、携帯電話、コンピュータ、デジタル放送端末、メッセージ送受信機器、ゲーム機、タブレット装置、医療機器、フィットネス機器、パーソナルデジタルアシスタントであってもよい。
【０１３０】
図６に示すように、端末８００は、プロセスアセンブリ８０２、メモリ８０４、電源アセンブリ８０６、マルチメディアアセンブリ８０８、オーディオアセンブリ８１０、入力／出力（Ｉ／Ｏ）インタフェース８１２、センサアセンブリ８１４、および通信アセンブリ８１６のような１つ以上のアセンブリを含んでもよい。
【０１３１】
プロセスアセンブリ８０２は、一般的には端末８００全体の操作を制御するものであり、例えば、表示、電話呼び出し、データ通信、カメラ操作、及び記録操作と関連する操作を制御する。プロセスアセンブリ８０２は、１つ以上のプロセッサ８２０を含み、これらによって指令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１３２】
メモリ８０４は、各種類のデータを記憶することにより端末８００の操作を支援するように構成される。これらのデータの例は、端末８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１３３】
電源アセンブリ８０６は、端末８００の多様なアセンブリに電力を供給する。電源アセンブリ８０６は、電源管理システム、一つ以上の電源、及び端末８００のための電力の生成、管理及び割り当てに関連する他のアセンブリを含んでもよい。
【０１３４】
マルチメディアアセンブリ８０８は、前記端末８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３５】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１３６】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１３７】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１３８】
通信アセンブリ８１６は、端末８００と他の機器の間に有線、又は無線形態の通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１３９】
例示的な実施例において、端末８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１４０】
例示的な実施例では、さらに、指令を含むコンピュータ読み取り可能な非一時的な記憶媒体、例えば、指令を含むメモリ８０４を提供しており、端末８００のプロセッサ８２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピー（登録商標）ディスク、および光データ記憶デバイスなどであってもよい。
【０１４１】
コンピュータ読み取り可能な非一時的な記憶媒体は、端末のプロセッサにより前記記憶媒体中の指令が実行される場合、端末に次の物品情報の送信方法を実行させることができる。当該方法は、
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、を含む。
【０１４２】
好ましくは、前記収納ボックス情報に基づいて、前記収納ボックスの物品情報を取得するステップは、
前記収納室の室内画像から物品の画像を識別するステップと、
前記物品の画像に基づいて、前記物品の説明情報を取得するステップと、を含む。
【０１４３】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含む。
【０１４４】
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む。
【０１４５】
好ましくは、前記方法は、
前記物品の第１のタイミングの鮮度を前記計算された鮮度に更新し、前記物品の第１のタイミングを現在タイミングに更新するステップをさらに含む。
【０１４６】
好ましくは、前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップとを、さらに含む。
【０１４７】
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置する。
【０１４８】
好ましくは、前記現在タイミング、前記状態情報、前記第１のタイミング、および前記物品の第１のタイミングの鮮度に基づいて、前記物品の鮮度を計算するステップにおいて、
下記の式：
2016537733.tif 000008
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【０１４９】
好ましくは、前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップを含む。
【０１５０】
選択的に、前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、を含む。
【０１５１】
実施例７
図７は、例示的な実施例に係る物品情報を受信するためのモバイル端末９００を示すブロック図である。例えば、モバイル端末９００は、携帯電話、コンピュータ、デジタル放送端末、メッセージ送受信機器、ゲーム機、タブレット装置、医療機器、フィットネス機器、パーソナルデジタルアシスタントであってもよい。
【０１５２】
図７に示すように、モバイル端末９００は、プロセスアセンブリ９０２、メモリ９０４、電源アセンブリ９０６、マルチメディアアセンブリ９０８、オーディオアセンブリ９１０、入力／出力（Ｉ／Ｏ）インタフェース９１２、センサアセンブリ９１４、および通信アセンブリ９１６のような１つ以上のアセンブリを含んでもよい。
【０１５３】
プロセスアセンブリ９０２は、一般的には端末９００全体の操作を制御するものであり、例えば、表示、電話呼び出し、データ通信、カメラ操作、及び記録操作と関連する操作を制御する。プロセスアセンブリ９０２は、１つ以上のプロセッサ９２０を含み、これらによって指令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１５４】
メモリ９０４は、各種類のデータを記憶することによりモバイル端末９００の操作を支援するように構成される。これらのデータの例は、モバイル端末９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１５５】
電源アセンブリ９０６は、モバイル端末９００のの多様なアセンブリに電力を供給する。電源アセンブリ９０６は、電源管理システム、一つ以上の電源、及びモバイル端末９００のための電力の生成、管理及び割り当てに関連する他のアセンブリを含んでもよい。
【０１５６】
マルチメディアアセンブリ９０８は、前記モバイル端末９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記の実施例において、マルチメディアアセンブリ９０８は、一つのフロントカメラ、及び／又はリアカメラを含む。モバイル端末９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５７】
オーディオアセンブリ９１０は、オーディオ信号を入出力するように構成されてもよい。例えば、オーディオアセンブリ９１０は、一つのマイク（ＭＩＣ）を含み、モバイル端末９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１５８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１５９】
センサアセンブリ９１４は、モバイル端末９００に各方面の状態に対する評価を提供するための一つ以上のセンサを含む。例えば、センサアセンブリ９１４は、モバイル端末９００のＯＮ／ＯＦＦ状態、モバイル端末９００のディスプレイとキーパッドのようなアセンブリの相対的な位置決めを検出できる。また、例えば、センサアセンブリ９１４は、モバイル端末９００、或はモバイル端末９００の一つのアセンブリの位置変更、ユーザとモバイル端末９００とが接触しているか否か、モバイル端末９００の方位、又は加速／減速、モバイル端末９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１６０】
通信アセンブリ９１６は、モバイル端末９００と他の機器の間に有線、又は無線形態の通信を提供する。モバイル端末９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１６１】
例示的な実施例において、モバイル端末９００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１６２】
例示的な実施例では、さらに、指令を含むコンピュータ読み取り可能な非一時的な記憶媒体、例えば、指令を含むメモリ９０４を提供しており、モバイル端末９００のプロセッサ９２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピー（登録商標）ディスク、および光データ記憶デバイスなどであってもよい。
【０１６３】
コンピュータ読み取り可能な非一時的な記憶媒体は、端末のプロセッサにより前記記憶媒体中の指令が実行される場合、端末に次の収納ボックスの制御方法を実行させることができる。当該方法は、
収納ボックスに収納された物品の、少なくとも物品説明情報を含む物品情報を受信するステップと、
前記物品の物品情報をユーザへ表示するステップと、を含む。
【０１６４】
好ましくは、前記方法は、
前記収納ボックスが前記収納ボックスに収納された物品の物品情報を取得して送信するように前記ユーザから入力された取得指令を取得し、前記取得指令を収納ボックスへ送信するステップを、さらに含む。
【０１６５】
選択的に、前記方法は、
前記ユーザから入力された操作タイプを付加する制御指令を取得するステップと、
制御指令を収納ボックスへ送信して、前記収納ボックスが前記操作タイプに対応する操作を実行するように制御するステップとを、さらに含む。
【０１６６】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１６７】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【図１】
2016537733.tif 000011
【図２】
2016537733.tif 000012
【図３−１】
2016537733.tif 000013
【図３−２】
2016537733.tif 000014
【図３−３】
2016537733.tif 000015
【図３−４】
2016537733.tif 000016
【図４−１】
2016537733.tif 000017
【図４−２】
2016537733.tif 000018
【図５】
2016537733.tif 000019
【図６】
2016537733.tif 000020
【図７】
2016537733.tif 000021
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、
を含むことを特徴とする、物品情報の送信方法。
【請求項２】
前記収納ボックス情報に基づいて、前記収納ボックスの物品情報を取得するステップは、
前記収納室の室内画像から物品の画像を識別するステップと、
前記物品の画像に基づいて、前記物品説明情報を取得するステップと、
を含むことを特徴とする、請求項１に記載の方法。
【請求項３】
前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む
ことを特徴とする、請求項１に記載の方法。
【請求項４】
前記方法は、
前記物品の第１のタイミングの鮮度を前記計算された鮮度に更新し、前記物品の第１のタイミングを現在タイミングに更新するステップを、さらに含むことを特徴とする、
請求項３に記載の方法。
【請求項５】
前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するステップとを、
さらに含むことを特徴とする、請求項３に記載の方法。
【請求項６】
前記現在タイミング、前記状態情報、前記第１のタイミング、および前記物品の第１のタイミングの鮮度に基づいて、前記物品の鮮度を計算するステップにおいて、
下記の式：
2016537733.tif 000022
により物品の鮮度を計算する（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
ことを特徴とする、請求項３に記載の方法。
【請求項７】
前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップ
を含むことを特徴とする、請求項１〜６のいずれか１項に記載の方法。
【請求項８】
前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、
を含むことを特徴とする、請求項１に記載の方法。
【請求項９】
収納ボックスに収納された物品の、少なくとも物品説明情報を含む物品情報を受信するステップと、
前記物品の物品情報をユーザへ表示するステップと、
を含むことを特徴とする、物品情報の受信方法。
【請求項１０】
前記方法は、
前記収納ボックスが前記収納ボックスに収納された物品の物品情報を取得して送信するように前記ユーザから入力された取得指令を取得し、前記取得指令を収納ボックスへ送信するステップをさらに含むことを特徴とする、
請求項９に記載の方法。
【請求項１１】
前記方法は、
前記ユーザから入力された操作タイプを付加する制御指令を取得するステップと、
制御指令を収納ボックスへ送信して、前記収納ボックスが前記操作タイプに対応する操作を実行するように制御するステップとを、
さらに含むことを特徴とする、請求項９または１０に記載の方法。
【請求項１２】
収納ボックスの収納ボックス情報を取得するための第１の取得モジュールと、
前記収納ボックス情報に基づいて、前記収納ボックスに収納された物品の、少なくとも物品説明情報を含む物品情報を取得するための第２の取得モジュールと、
前記物品の物品情報を、ユーザに対応するモバイル端末へ送信するための送信モジュールと、
を備えることを特徴とする、物品情報の送信装置。
【請求項１３】
前記第２の取得モジュールは、
前記収納室の室内画像から物品の画像を識別するための識別ユニットと、
前記物品の画像に基づいて、前記物品説明情報を取得するための第１の取得ユニットと、
を備えることを特徴とする、請求項１２に記載の装置。
【請求項１４】
前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記第２の取得モジュールは、
前記収納ボックスに収納された物品の、前記物品を冷蔵庫に入れるときのタイミング、若しくは最後に前記物品の鮮度を計算するときのタイミングである第１のタイミングの鮮度を取得するための第２の取得ユニットと、
現在タイミング、前記状態情報、前記第１のタイミング、および前記物品の第１のタイミングの鮮度に基づいて、前記物品の鮮度を計算するための計算ユニットとを、さらに備える、
ことを特徴とする、請求項１２に記載の装置。
【請求項１５】
前記第２の取得モジュールは、
前記物品の第１のタイミングの鮮度を前記計算された鮮度に更新し、前記物品の第１のタイミングを現在タイミングに更新するための更新ユニットをさらに備えることを特徴とする、
請求項１４に記載の装置。
【請求項１６】
前記第２の取得モジュールは、
前記収納ボックスのドアを閉めたと検出する場合、前記収納ボックスの収納室に対して撮影を行い、前記収納室の室内画像を得るための撮影ユニットと、
最後に前記収納ボックスのドアを閉めたときに前記収納ボックス内に収納された物品の物品説明情報および位置情報を取得するための第３の取得ユニットと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するための第４の取得ユニットと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するための確定ユニットとを、
さらに備えることを特徴とする、請求項１４に記載の装置。
【請求項１７】
前記計算ユニットは、下記の式：
2016537733.tif 000023
により物品の鮮度を計算する（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
ことを特徴とする、請求項１４に記載の装置。
【請求項１８】
前記第１の取得モジュールは、
前記ユーザに対応するモバイル端末から送信された取得指令を受信し、前記取得指令の指示に基づいて、収納ボックスの収納ボックス情報を取得するための第５の取得ユニット、
または、
前記収納ボックスの収納ボックス情報を周期的に取得するための第６の取得ユニット
を備えることを特徴とする、請請求項１２〜１７のいずれか１項に記載の装置。
【請求項１９】
前記送信モジュールは、
鮮度が所定の閾値未満である物品を選択するための選択ユニットと、
選択された物品の物品情報をユーザに対応するモバイル端末へ送信するための送信ユニットと、
を備えることを特徴とする請求項１２に記載の処理装置。
【請求項２０】
収納ボックスに収納された物品の、少なくとも物品説明情報を含む物品情報を受信するための受信モジュールと、
前記物品の物品情報をユーザへ表示するための表示モジュールと、
を備えることを特徴とする、物品情報の送受信装置。
【請求項２１】
前記装置は、
前記収納ボックスが前記収納ボックスに収納された物品の物品情報を取得して送信するように前記ユーザから入力された取得指令を取得し、前記取得指令を収納ボックスへ送信するための第２の取得モジュールを、
さらに備えることを特徴とする、請求項２０に記載の装置。
【請求項２２】
前記装置は、
前記ユーザから入力された操作タイプを付加する制御指令を取得するための第１の取得モジュールと、
制御指令を収納ボックスへ送信して、前記収納ボックスが前記操作タイプに対応する操作を実行するように制御するための送信モジュールと、
さらに備えることを特徴とする、請求項２０または２１に記載の装置。
【請求項２３】
プロセッサに実行されることにより、請求項１から請求項１１のいずれかに記載の物品情報の送受信方法を実現することを特徴とするプログラム。
【請求項２４】
請求項２３に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０３５４４４９．８であって、出願日が２０１４年０７月２３日である中国特許出願に基づき優先権を主張し、当該中国特許出願のすべての内容を本願に援用する。
【０００２】
本発明は、インターネット技術の分野に関し、特に物品情報の送受信方法、装置、プログラム、及び記録媒体に関する。
【背景技術】
【０００３】
人々の生活水準の向上に伴い、冷蔵庫は、多くの家族に入っており、多くの家族の不可欠な電器になっている。冷蔵庫が冷蔵機能を備えるため、ユーザは、よく冷蔵庫を使って物品を収納する。例えば、ユーザは、スーパーマーケットや市場から野菜、肉、卵、および飲料等の物品を購入した場合、これらの物品の保存期間を延長するために、通常、これらの物品を冷蔵庫に入れて収納する。
【発明の概要】
【発明が解決しようとする課題】
【０００４】
本発明を実現する過程において、本発明人は、関連技術に少なくとも次の問題があることを見出した。
【０００５】
ユーザが冷蔵庫に収納されたいくつかの物品を忘れてしまう可能性があるため、これらの物品は、冷蔵庫における収納時間が長すぎて変質になってしまう場合があり、または、ユーザが物品を購入するとき、冷蔵庫に収納されたいくつか物品を忘れてしまうため、再びこれらの物品を購入する場合がある。
【課題を解決するための手段】
【０００６】
従来の関連技術の問題点を克服するために、本発明は、物品情報の送受信方法、装置、プログラム、及び記録媒体を提供する。
【０００７】
本発明に係る実施例の第１態様では、
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、
を含む物品情報の送信方法を提供する。
【０００８】
好ましくは、前記収納ボックス情報に基づいて、前記収納ボックスの物品情報を取得するステップは、
前記収納室の室内画像から物品の画像を識別するステップと、
前記物品の画像に基づいて、前記物品説明情報を取得するステップと、を含む。
【０００９】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む。
【００１０】
好ましくは、前記方法は、
前記物品の第１のタイミングの鮮度を前記計算された鮮度に更新し、前記物品の第１のタイミングを現在タイミングに更新するステップを、さらに含む。
【００１１】
好ましくは、前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するステップとを、さらに含む。
【００１２】
好ましくは、前記現在タイミング、前記状態情報、前記第１のタイミング、および前記物品の第１のタイミングの鮮度に基づいて、前記物品の鮮度を計算するステップにおいて、
下記の式：
2016537733.tif 000024
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【００１３】
好ましくは、前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップを含む。
【００１４】
好ましくは、前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、を含む。
【００１５】
本発明に係る実施例の第２態様では、
収納ボックスに収納された物品の、少なくとも物品説明情報を含む物品情報を受信するステップと、
前記物品の物品情報をユーザへ表示するステップと、を含む物品情報の受信方法を提供する。
【００１６】
好ましくは、前記方法は、
前記収納ボックスが前記収納ボックスに収納された物品の物品情報を取得して送信するように前記ユーザから入力された取得指令を取得し、前記取得指令を収納ボックスへ送信するステップを、さらに含む。
【００１７】
好ましくは、前記方法は、
前記ユーザから入力された操作タイプを付加する制御指令を取得するステップと、
制御指令を収納ボックスへ送信して、前記収納ボックスが前記操作タイプに対応する操作を実行するようにを制御するステップとを、さらに含む。
【００１８】
本発明に係る実施例の第３態様では、
収納ボックスの収納ボックス情報を取得するための第１の取得モジュールと、
前記収納ボックス情報に基づいて、前記収納ボックスに収納された物品の、少なくとも物品説明情報を含む物品情報を取得するための第２の取得モジュールと、
前記物品の物品情報を、ユーザに対応するモバイル端末へ送信するための送信モジュールと、
を備える物品情報の送信装置を提供する。
【００１９】
好ましくは、前記第２の取得モジュールは、
前記収納室の室内画像から物品の画像を識別するための識別ユニットと、
前記物品の画像に基づいて、前記物品説明情報を取得するための第１の取得ユニットと、を備える。
【００２０】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含み、
前記第２の取得モジュールは、
前記収納ボックスに収納された物品の、前記物品を冷蔵庫に入れるときのタイミング、若しくは最後に前記物品の鮮度を計算するときのタイミングである第１のタイミングの鮮度を取得するための第２の取得ユニットと、
現在タイミング、前記状態情報、前記第１のタイミング、および前記物品の第１のタイミングの鮮度に基づいて、前記物品の鮮度を計算するための計算ユニットとを、さらに備える。
【００２１】
好ましくは、前記第２の取得モジュールは、
前記物品の第１のタイミングの鮮度を前記計算された鮮度に更新し、前記物品の第１のタイミングを現在タイミングに更新するための更新ユニットを、さらに備える。
【００２２】
好ましくは、前記第２の取得モジュールは、
前記収納ボックスのドアを閉めたと検出する場合、前記収納ボックスの収納室に対して撮影を行い、前記収納室の室内画像を得るための撮影ユニットと、
最後に前記収納ボックスのドアを閉めたときに前記収納ボックス内に収納された物品の物品説明情報および位置情報を取得するための第３の取得ユニットと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するための第４の取得ユニットと、
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置するための確定ユニットとを、さらに備える。
【００２３】
好ましくは、前記計算ユニットは、
下記の式：
2016537733.tif 000025
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【００２４】
好ましくは、前記第１の取得モジュールは、
前記ユーザに対応するモバイル端末から送信された取得指令を受信し、前記取得指令の指示に基づいて、収納ボックスの収納ボックス情報を取得するための第５の取得ユニット、
または、
前記収納ボックスの収納ボックス情報を周期的に取得するための第６の取得ユニットを備える。
【００２５】
好ましくは、前記送信モジュールは、
鮮度が所定の閾値未満である物品を選択するための選択ユニットと、
選択された物品の物品情報をユーザに対応するモバイル端末へ送信するための送信ユニットと、を備える。
【００２６】
本発明に係る実施例の第４態様では、
収納ボックスに収納された物品の、少なくとも物品説明情報を含む物品情報を受信するための受信モジュールと、
前記物品の物品情報をユーザへ表示するための表示モジュールと、
を備える物品情報の受信装置を提供する。
【００２７】
好ましくは、前記装置は、前記収納ボックスが前記収納ボックスに収納された物品の物品情報を取得して送信するように前記ユーザから入力された取得指令を取得し、前記取得指令を収納ボックスへ送信するための第２の取得モジュールを、さらに備える。
【００２８】
好ましくは、前記装置は、
前記ユーザから入力されたが操作タイプを付加する制御指令を取得するための第１の取得モジュールと、
制御指令を収納ボックスへ送信して、前記収納ボックスが前記操作タイプに対応する操作を実行するように制御するための送信モジュールとを、さらに備える。
【００２９】
本発明に係る実施例の第５態様では、プロセッサに実行されることにより、前記の物品情報の送受信方法を実現することを特徴とするプログラムを提供する。
【００３０】
本発明に係る実施例の第６態様では、前記のプログラムが記録された記録媒体を提供する。
【００３１】
本発明に係る実施例に提供された技術案では、次の有益な効果を果たすことができる。
【００３２】
収納ボックスに収納された物品の物品情報を取得し、物品の物品情報は、少なくとも物品の物品説明情報を含み、物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避ける。
【００３３】
以上の一般的な説明及び後述の詳細な説明は、例示的なものに過ぎず、本発明を限定するものではないことを理解すべきである。
【図面の簡単な説明】
【００３４】
以下の図面は、本願の一部分として、本発明に対する更なる理解を図るためのものであって、本発明に対する限定として捉えてはいけない。
【図１】一つの例示的な実施例に係る物品情報の送信方法のフローチャートである。
【図２】一つの例示的な実施例に係る物品情報の受信方法のフローチャートである。
【図３−１】一つの例示的な実施例に係る物品情報の送信方法のフローチャートである。
【図３−２】一つの例示的な実施例に係る第１の室内画像を模式的に示す図である。
【図３−３】一つの例示的な実施例に係る第２の室内画像を模式的に示す図である。
【図３−４】一つの例示的な実施例に係る第３の室内画像を模式的に示す図である。
【図４−１】一つの例示的な実施例に係る物品情報の送信装置のブロック図である。
【図４−２】一つの例示的な実施例に係る第１の取得モジュールの構成を示すブロック図である。
【図５】一つの例示的な実施例に係る物品情報の受信装置のブロック図である。
【図６】一つの例示的な実施例に係る端末の構造を示すブロック図である。
【図７】一つの例示的な実施例に係るモバイル端末の構造を示すブロック図である。
【００３５】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００３６】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００３７】
実施例１
図１は、一つの例示的な実施例に係る物品情報の送信方法を示すフローチャートである。図１に示すように、前記物品情報の送信方法は、端末に適用され、次のステップ１０１〜１０３を含む。
【００３８】
ステップ１０１において、収納ボックスの収納ボックス情報を取得する。
【００３９】
ステップ１０２において、収納ボックス情報に基づいて、収納ボックスに収納された物品の、少なくとも物品説明情報を含む物品情報を取得する。
【００４０】
ステップ１０３において、物品の物品情報を、ユーザに対応するモバイル端末へ送信する。
【００４１】
本発明の実施例では、収納ボックスに収納された物品の、少なくとも物品説明情報を含む物品情報を取得し、物品の物品情報をユーザに対応するモバイル端末へ送信することにより、ユーザが収納ボックスに対するリモートモニターおよびリモート制御を実現することができ、ユーザが収納ボックスに収納された物品を忘れることを避ける。
【００４２】
実施例２
図２は、一つの例示的な実施例に係る物品情報の受信方法を示すフローチャートである。図２に示すように、前記物品情報の受信方法は、端末に適用され、次のステップ２０１〜２０２を含む。
【００４３】
ステップ２０１において、収納ボックスに収納された物品の、少なくとも物品説明情報を含む物品情報を受信する。
【００４４】
ステップ２０２において、当該物品の物品情報をユーザへ表示する。
【００４５】
本発明の実施例では、収納ボックスに収納された物品の物品情報を受信し、当該物品の物品情報をユーザへ表示し、ユーザから入力された操作タイプを付加する制御指令を取得し、該制御指令を収納ボックスへ送信して、収納ボックスが当該操作タイプに対応する操作を実行するように制御することにより、ユーザが収納ボックスに対するリモートモニターおよびリモート制御を実現し、ユーザが収納ボックスに収納された物品を忘れることを避ける。
【００４６】
実施例３
図３−１に示すように、本発明の実施例は、次のステップ３０１〜３０７を含む物品情報の送信方法を提供する。
【００４７】
ステップ３０１において、制御端末がユーザに対応するモバイル端末から送信された取得指令を受信し、制御端末が収納ボックスと接続されている。
【００４８】
収納ボックスは、冷蔵庫、冷凍ショーケース、または箪笥等であってもよい。ユーザは、収納ボックス内に収納された物品情報を取得する必要となる場合がある。例えば、冷蔵庫を例とすると、ユーザがスーパーマーケットで物品を買う場合、重複に買うことを避けるために、冷蔵庫内にすでに収納された物品を知る必要がある。この場合、ユーザは、その対応するモバイル端末をトリガーして取得指令を冷蔵庫と接続されている制御端末へ送信し、制御端末により冷蔵庫内における物品の物品情報を取得するように要求する。
【００４９】
収納ボックス内おいて、異なる収納室は、異なるタイプの物品を収納する可能性があり、例えば、ある収納室が野菜の収納に用いられ、ある収納室が果物の収納に用いられる。ユーザは、ある１つの収納室内における物品の物品情報だけを知る必要となる場合があり、このとき、ユーザは、取得しようとする収納室の標識をモバイル端末へ入力することができ、モバイル端末が取得しようとする収納室の標識を付加した取得指令を再送信する。例えば、ユーザが食料品のマーケットで野菜を買う場合、野菜を収納するための収納室内における物品の物品情報だけを知る必要となる場合があり、このとき、ユーザは、野菜を収納するための収納室の標識をモバイル端末へ入力することができ、モバイル端末が野菜を収納するための収納室の標識を付加した取得指令を再送信する。
【００５０】
選択的に、制御端末は、収納ボックスの内に位置してもよく、収納ボックスの外に位置してもよい。収納ボックスの外に位置する場合、制御端末と収納ボックスとがホームＬＡＮ（ローカルエリアネットワーク）を介して接続することができ、ホームＬＡＮは、有線ネットワーク、無線ＷＩＦＩ、ブルートゥース、若しくは赤外線等であってもよい。制御端末が収納ボックスの外に位置する場合、制御端末は、ルーターであってもよい。
【００５１】
ステップ３０２において、制御端末が取得指令の指示に基づいて、収納ボックスの収納ボックス情報を取得する。
【００５２】
当該収納ボックス情報は、収納ボックスに関する情報を含む。例えば、当該収納ボックス情報は、収納ボックスの収納室の室内画像を含み、または、収納ボックスの状態情報を含み、または、収納ボックスの収納室の室内画像および状態情報等を含んでもよい。
【００５３】
制御端末は、少なくとも一つのカメラを含む。制御端末に含まれるカメラは、いずれも、収納ボックスの収納室内に装着されている。制御端末が収納ボックスの外に位置する場合、カメラと制御端末とがホームＬＡＮを介して接続されていることができる。好ましくは、多角度で全方位で収納室の画像を撮影するように、各収納室の４つの頂角の位置に、それぞれ一つのカメラを装着している。
【００５４】
当該ステップでは、制御端末がモバイル端末から送信された取得指令を受信し、当該取得指令の指示に基づいて、カメラを制御して収納ボックスの収納室に対して撮影を行い、収納ボックスの収納室の室内画像を取得することであってもよい。
【００５５】
好ましくは、当該収納ボックスの状態情報は、収納ボックスの収納室の温度、湿度および細菌密度のうちの少なくとも一つを含む。制御端末は、さらに、温度センサ、湿度センサ、細菌密度検知器のうちの少なくとも一つを含み、温度センサを収納ボックスの収納室内に装着してもよく、湿度センサを収納ボックスの収納室内に装着してもよく、または、細菌密度検知器を収納ボックスの収納室内に装着してもよい。温度センサ、湿度センサ、および細菌密度検知器のうちの任意の２つを収納ボックスの収納室内に装着してもよく、または、温度センサ、湿度センサ、および細菌密度検知器を全て収納ボックスの収納室内に装着してもよい。好ましくは、収納ボックスの状態情報をそれぞれ取得するように、収納ボックスの各収納室においてそれぞれ一つの温度センサ、一つの湿度センサ、および一つの細菌密度検知器を装着する。制御端末が収納ボックスの外に位置する場合、制御端末と温度センサ、湿度センサおよび細菌密度検知器との間に、いずれも、ホームＬＡＮを介して接続されていることができる。
【００５６】
当該ステップでは、制御端末が当該取得指令の指示に基づいて、収納室内の温度をモニターするように温度センサを制御し、収納室内の湿度をモニターするように湿度センサを制御し、収納室内の細菌密度をモニターするように細菌密度検知器を制御して、温度センサでモニターされた収納室内の温度、湿度センサでモニターされた収納室内の湿度、および細菌密度検知器でモニターされた収納室内の細菌密度を取得する。
【００５７】
好ましくは、当該取得指令がさらに取得しようとする収納室の標識を付加すれば、取得しようとする収納室の標識に基づいて取得しようとする収納室の収納ボックス情報を取得する場合、次のようにしてもよく、即ち、
制御端末は、取得指令に付加された取得しようとする収納室の標識に基づいて、取得しようとする収納室内に位置するカメラを制御して取得しようとする収納室に対して撮影を行い、取得しようとする収納室の室内画像を得る。
【００５８】
例えば、制御端末に受信された取得指令が野菜を収納するための収納室の標識を付加する場合、野菜を収納するための収納室内におけるカメラを制御して野菜を収納するための収納室に対して撮影を行い、野菜を収納するための収納室の室内画像を得る。
【００５９】
好ましくは、取得しようとする収納室の状態情報をさらに取得する場合、次のようにしてもよく、即ち、
制御端末は、取得指令に付加された取得しようとする収納室の標識に基づいて、取得しようとする収納室内に位置する温度センサを制御して取得しようとする収納室内の温度をモニターし、取得しようとする収納室内に位置する湿度センサを制御して取得しようとする収納室内の湿度をモニターし、取得しようとする収納室に位置する細菌密度検知器を制御して取得しようとする収納室内の細菌密度をモニターする。
【００６０】
好ましくは、当該ステップを実行する前に、収納ボックスのドアを開ける場合、制御端末は、収納ボックスの収納室内におけるカメラを制御することで収納ボックスの収納室に対して撮影を行い、撮影された室内画像を取る。より好ましくは、制御端末は、さらにメモリを含み、撮影された室内画像をメモリ内に記憶する。
【００６１】
それに応じて、当該ステップでは、取得指令の指示に基づいて、メモリ内に記憶された直前の前回で撮影された収納ボックスの収納室の室内画像を取得してもよい。
【００６２】
ステップ３０３において、収納室の室内画像から物品画像を識別し、物品画像に基づいて物品の、少なくとも物品説明情報を含む物品情報を取得する。
【００６３】
物品の物品説明情報は、物品の名称および／または紹介情報等を含む。当該ステップを実行する前に、標準物品画像と物品説明情報との対応関係リストをメモリに記憶し、標準物品画像と物品説明情報との対応関係リストは、各物品に対応する少なくとも一つの標準物品画像および物品説明情報を記憶するために用いられる。
【００６４】
当該ステップでは、収納室の室内画像から、物品の画像を識別し、それぞれ、当該物品の画像と、標準物品画像と物品説明情報との対応関係リストにおける各標準物品画像との間の類似度を計算し、当該物品の画像との間の類似度が最も高い標準物品画像を選択し、選択された標準物品画像に基づいて、標準物品画像と物品説明情報との対応関係リストから、対応の物品説明情報を取得し、取得された物品説明情報を当該物品の物品説明情報としてもよい。
【００６５】
例えば、表１に示すような標準物品画像と物品の説明情報の対応関係リストでは、当該対応関係リストは標準物品画像１、２および３を含み、標準物品画像１、２および３は、それぞれ、リンゴ画像、梨画像および桃画像であり、標準物品画像１、２および３がそれぞれ対応する物品の説明情報は、それぞれ、リンゴ、梨および桃である。
【００６６】
収納室の室内画像から、図３−２に示される物品の画像を識別し、当該物品の画像が一つのリンゴ画像であり、当該物品の画像と表１における標準物品画像１、２および３との間の類似度をそれぞれ計算し、ここで、当該物品の画像との間の類似度が最も高いのは、標準物品画像１であり、標準物品画像１に基づいて表１から標準物品画像１に対応する物品説明情報の「リンゴ」を取得し、「リンゴ」を当該物品の物品説明情報とする。
【００６７】
【表１】
2016537733.tif 000026
【００６８】
好ましくは、物品の物品情報は、さらに物品の鮮度を含み、鮮度は、物品の新鮮な程度を示すために用いられる。ステップ３０３において、さらに物品の鮮度を取得してもよく、以下のような第１のステップ、および第２のステップという２つのステップを含む。
【００６９】
第１のステップは、収納ボックスに収納された物品の第１のタイミングの鮮度を取得し、第１のタイミングは、当該物品を収納ボックスに入れるときのタイミング、若しくは最後に当該物品鮮度を計算するときのタイミングである。
【００７０】
ここで、物品を収納ボックスに入れるとき、現在のタイミングを当該物品の第１のタイミングとし、およびディフォルト鮮度を当該物品の第１のタイミングの鮮度とし、当該物品の物品説明情報、第１のタイミングおよび第１のタイミングの鮮度を、物品説明情報、第１のタイミングと鮮度との対応関係に記憶する。または、ある物品の鮮度を計算する場合、物品説明情報、第１のタイミングと鮮度との対応関係に記憶された当該物品の第１のタイミングおよび第１のタイミングの鮮度を、それぞれ現在のタイミングおよび計算された現在の鮮度に更新する。ディフォルト鮮度は、１００、９５、または９０等の数値であってもよい。
【００７１】
第１のステップにおいて、当該物品の物品説明情報に基づいて、物品説明情報、第１のタイミングと鮮度との対応関係から、当該物品の第１のタイミングの鮮度を取得する。
【００７２】
第２のステップにおいて、現在タイミング、収納ボックスの状態情報、取得された第１のタイミングおよび当該物品の第１のタイミングの鮮度に基づいて、当該物品の鮮度を計算する。
【００７３】
下記の式：
2016537733.tif 000027
により物品の鮮度を計算する。
【００７４】
式中、Ｘは当該物品の鮮度であり、Ｘ０は当該物品の第１のタイミングの鮮度であり、ｔ１は現在タイミングであり、ｔ０は第１のタイミングであり、Ｔは減衰サイクルの長さであり、Ａは一つの減衰サイクルにおける鮮度減衰標準値であり、Ｂは物品の減衰係数であり、Ｔ１は当該物品のある収納室の温度であり、Ｔ０は経験温度であり、ＴＣは温度係数であり、Ｈ１は当該物品のある収納室の湿度であり、Ｈ０は経験湿度であり、ＨＣは湿度係数であり、Ｐ１は当該物品のある収納室の細菌密度であり、Ｐ０は経験細菌密度であり、ＰＣは細菌密度係数である。
【００７５】
ただし、Ａ、Ｂ、Ｔ０、Ｈ０、Ｐ０、ＴＣ、ＨＣ、ＰＣは、いずれも、予め設定された固定値であり、好ましくは、ユーザにより予め設定されることができる。
【００７６】
さらに、物品説明情報、第１のタイミングと鮮度との対応関係において、当該物品の第１のタイミングの鮮度を、計算された鮮度に更新し、当該物品の第１のタイミングを現在タイミングに更新する。
【００７７】
ここで、説明すべきことは、ユーザが収納ボックスのドアを開けるときに、収納ボックスから物品を取り出し、または新たな物品を入れた後収納ボックスのドアを閉める可能性がある。したがって、収納ボックスのドアを開けた後に閉めるたびに、いずれも、物品説明情報、第１のタイミングと鮮度との対応関係に対して更新を行う必要があり、具体的には、以下のステップ（１）〜（６）を含む。
【００７８】
（１）  収納ボックスのドアを閉めたと検出する場合、収納ボックスの収納室に対して撮影を行い、収納室の室内画像を得る。
【００７９】
ユーザが収納ボックスのドアを閉めた後、制御端末が収納ボックスのドアを閉めたと検出し、収納室内におけるカメラを制御することで収納室に対して撮影を行い、撮影の画像を収納室の室内画像とする。
【００８０】
（２）  最後に収納ボックスのドアを閉めたときに収納ボックス内に収納された物品の物品説明情報および位置情報を取得する。
【００８１】
当該ステップでは、物品説明情報と位置情報との対応関係から、最後に収納ボックスのドアを閉めたときに収納ボックス内に収納された物品の物品説明情報および位置情報を取得する。
【００８２】
例えば、図３−３に示すように、最後に収納ボックスのドアを閉めたときに収納ボックス内に収納された物品は、リンゴおよび卵を含み、リンゴの位置情報は、当該収納室の東北角に位置することであり、卵の位置情報は、当該収納室の東南角に位置することである。
【００８３】
（３）  収納室の室内画像、および最後に収納ボックスのドアを閉めたときに収納ボックス内に収納された物品の物品説明情報と位置情報に基づいて、収納ボックスに最も新しく入れる物品およびユーザが取り出した物品を取得する。
【００８４】
当該ステップでは、収納室の室内画像に基づいて現在の収納ボックス内における各物品の物品説明情報および位置情報を取得し、それぞれ、現在の収納ボックス内における各物品の物品説明情報および位置情報と、最後に収納ボックスのドアを閉めたときに収納ボックス内に収納された物品の物品説明情報および位置情報とを比較して、収納ボックスに最も新しく入れる物品および取り出した物品を得てもよい。
【００８５】
例えば、図３−４に示すように、収納室の室内画像に基づいて、現在の収納ボックス内における物品の説明情報がそれぞれリンゴ、イチゴおよびブドウであり、およびリンゴの位置情報が当該収納室の東北角であり、イチゴの位置情報が当該収納室の東南角であり、ブドウの位置情報は、当該収納室の西北角であることを取得し、現在の収納ボックス内における各物品の物品説明情報および位置情報と最後に収納ボックスのドアを閉めたときに収納ボックス内に収納された物品の物品説明情報および位置情報とを比較して、収納ボックスに最も新しく入れる物品がイチゴおよびブドウであり、ユーザが取り出した物品が卵であることを得る。
【００８６】
（４）  現在タイミングを収納ボックスに最も新しく入れる物品の第１のタイミングに確定し、収納ボックスに最も新しく入れる物品の鮮度を、ディフォルト鮮度に設置する。
【００８７】
（５）  収納ボックスに最も新しく入れる物品の物品説明情報、第１のタイミングおよび第１のタイミングの鮮度を、物品説明情報、第１のタイミングと鮮度との対応関係に記憶する。
【００８８】
（６）  物品説明情報、第１のタイミングと鮮度との対応関係から、取り出された物品の物品説明情報、第１のタイミングおよび鮮度を削除する。
【００８９】
さらに、収納ボックスに最も新しく入れる物品の物品説明情報および位置情報を、物品説明情報と位置情報との対応関係に記憶し、および物品説明情報と位置情報との対応関係から、取り出された物品の物品説明情報および位置情報を削除する。
【００９０】
説明すべきことは、物品を収納ボックスに入れた後、所定の時間おきに当該物品の鮮度を計算し、且つ物品説明情報、第１のタイミングと鮮度との対応関係を更新する必要があり、具体的に次のようにしてもよい。
【００９１】
まず、物品説明情報、第１のタイミングと鮮度との対応関係から、第１のタイミングと現在タイミングとの時間間隔が所定の時間に達した物品を、周期的に取得する。
【００９２】
その後、現在収納ボックスの状態情報を取得し、現在タイミング、当該状態情報、当該物品の第１のタイミングおよび第１のタイミングの鮮度に基づいて、現在の当該物品の鮮度を計算する。
【００９３】
当該ステップでは、収納ボックス内に位置する温度センサ、湿度センサ、および／または細菌密度検知器を制御して収納ボックスの状態情報を収集し、その後上記の式（１）により現在の当該物品の鮮度を計算してもよい。
【００９４】
最後、物品説明情報、第１のタイミングと鮮度との対応関係において、当該物品の第１のタイミングを現在タイミングに更新し、当該物品の鮮度を現在当該物品の鮮度に更新する。
【００９５】
好ましくは、現在の物品の鮮度を計算した後、さらに鮮度が所定の閾値より小さい物品を取得し、ユーザに対応するモバイル端末へ提示メッセージを送信してもよく、当該提示メッセージは、少なくとも提示内容および取得された物品の物品説明情報を付加し、例えば、提示内容は、「こんにちは、収納ボックスにおけるリンゴの鮮度が所定の閾値より低く、既に変質した可能性があり、速やかにご対応ください。」であってもよい。
【００９６】
ステップ３０４において、制御端末は、取得された物品の物品情報を、ユーザに対応するモバイル端末へ送信する。
【００９７】
好ましくは、制御端末は、さらに、収納ボックスの収納室の室内画像をユーザに対応するモバイル端末へ送信してもよい。
【００９８】
好ましくは、本発明の実施例において、制御端末は、さらに、収納ボックス内における各物品の状態をユーザに通知するように、収納ボックス内に収納された物品の物品情報を周期的に取得し、且つ取得された物品情報をユーザに対応するモバイル端末へ送信してもよい。即ち、収納ボックスの収納ボックス情報を周期的に取得し、その後上記ステップ３０３および３０４を再実行して収納ボックスに収納された物品の物品情報を取得し、且つユーザに対応するモバイル端末へ送信する。
【００９９】
好ましくは、制御端末は、ＷＩＦＩ、ブルートゥース若しくは赤外線等により物品の物品情報を先にルーターへ送信し、ルーターは、さらに有線ネットワーク若しくは無線ネットワークにより物品の物品情報をユーザに対応するモバイル端末へ送信してもよい。
【０１００】
ステップ３０５において、モバイル端末は、制御端末から送信された物品の物品情報を受信し、物品の物品情報をスクリーンに表示する。
【０１０１】
ユーザが在宅しないが、帰宅すると冷やした飲料を飲みたい場合があり、このとき、物品に対して冷やすように収納ボックスを制御してもよく、または、ユーザが帰宅すると直接に解凍後の物品を使用したい場合があり、このとき、物品に対して解凍するように収納ボックスを制御してもよい。
【０１０２】
ユーザは、少なくとも操作タイプを付加する制御指令を設置し、当該制御指令をモバイル端末へ再入力する。操作タイプは、冷やし若しくは解凍であってもよい。
【０１０３】
好ましくは、当該制御指令は、制御しようとする収納室の標識を付加する。
【０１０４】
ステップ３０６において、モバイル端末は、ユーザから入力された少なくとも操作タイプを付加する制御指令を取得し、制御指令を制御端末へ送信する。
【０１０５】
ステップ３０７において、制御端末は、モバイル端末から送信された制御指令を受信し、当該制御指令に付加された操作タイプに基づいて、収納ボックスを制御して当該操作タイプに対応する操作を実行する。
【０１０６】
当該ステップでは、制御指令に操作タイプおよび制御しようとする収納室の標識を付加する場合、当該操作タイプおよび制御しようとする収納室の標識に基づいて、収納ボックスを制御して制御しようとする収納室に対して当該操作タイプに対応する操作を実行してもよい。
【０１０７】
収納ボックスにおいて、飲料等のような物品を一つの収納室に入れ、常に当該収納室のみに対して冷やす必要があるため、事前に冷やし操作タイプおよび当該収納室の標識を操作タイプと収納室の標識との対応関係に記憶しておいてもよく、また、収納ボックスにおいて、凍結の必要がある物品は、通常、凍結用の収納室内に収納されているため、当該収納室のみに対して解凍する必要がある。
【０１０８】
当該ステップでは、当該制御指令に付加される操作タイプに基づいて、操作タイプとディフォルト収納室の標識との対応関係から、当該操作タイプに対応する収納室の標識を見つけ、収納ボックスを制御して当該収納室の標識に対応する収納室に対して、当該操作タイプに対応する操作を実行する。
【０１０９】
操作タイプと収納室の標識との対応関係は、技術者により収納ボックスを出荷する前に配置してもよく、ユーザにより設置してもよい。
【０１１０】
例えば、冷やし操作タイプに対応するディフォルト収納室は、収納室１であり、解凍操作タイプに対応するディフォルト収納室は、収納室２である場合、冷やし操作タイプと収納室１の標識ＩＤ１とを操作タイプとディフォルト収納室の標識との対応関係に記憶し、解凍操作タイプと収納室２の標識ＩＤ２とを、操作タイプとディフォルト収納室の標識との対応関係に記憶する。制御指令に付加された操作タイプが冷やし操作タイプであると仮定すると、当該冷やし操作タイプに基づいて、操作タイプと収納室の標識との対応関係から、対応する収納室１の標識ＩＤ１を取得し、収納ボックスを制御して、対応する収納室１に対して、冷やし操作タイプに対応する冷やし操作を実行する。
【０１１１】
本発明の実施例において、収納ボックスと接続されている制御端末は、モバイル端末から送信された取得指令を受信し、収納ボックスの収納ボックス情報を取得し、収納ボックス情報は、少なくとも収納ボックスの収納室の室内画像を含み、さらに収納室の温度値、湿度値、細菌密度値を含んでもよく、収納ボックス情報に基づいて、収納ボックスに収納された物品の物品情報を取得し、物品の物品情報は、少なくとも物品の物品説明情報を含み、また冷蔵庫内に収納された物品の鮮度をも含んでもよく、物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避け、収納時間が長すぎることによる物品の変質を避ける。
【０１１２】
実施例４
同一技術的構想に基づいて、本発明の実施例では、さらに、図４−１に示すように、
収納ボックスの収納ボックス情報を取得するための第１の取得モジュール４０１と、
当該収納ボックス情報に基づいて、収納ボックスに収納された物品の、少なくとも、物品説明情報を含む物品情報を取得するための第２の取得モジュール４０２と、
物品の物品情報を、ユーザに対応するモバイル端末へ送信するための送信モジュール４０３と、を備える物品情報の送信装置を提供する。
【０１１３】
図４−２に示すように、第１の取得モジュール４０１は、プロセッサ、および収納ボックスの収納室内に位置するカメラを含んでもよい。
【０１１４】
プロセッサは、収納ボックス内における収納室に対して撮影して収納ボックスの収納室の室内画像を得るように、カメラを制御するために用いられる。
【０１１５】
好ましくは、当該収納ボックス情報は、さらに収納ボックスの状態情報を含み、当該状態情報は、収納ボックスの収納室の温度、湿度および細菌密度のうちの少なくとも一つを含む。
【０１１６】
好ましくは、第１の取得モジュール４０１は、さらに、温度センサ、湿度センサ、および細菌検知器のうちの少なくとも１つを備えてもよい。温度センサ、湿度センサ、および細菌検知器は、収納ボックスの収納室内に位置する。
【０１１７】
また、プロセッサは、それぞれ、収納室の温度、湿度および／または細菌密度をモニターするように、温度センサ、湿度センサおよび／または細菌検知器を制御するために用いられる。
【０１１８】
好ましくは、第１の取得モジュール４０１は、メモリを備えてもよく、
プロセッサは、収納室の室内画像、温度、湿度および／または細菌密度を当該メモリに記憶するために用いられる。
【０１１９】
好ましくは、第２の取得モジュール４０２は、
収納室の室内画像から物品の画像を識別するための識別ユニットと、
当該物品の画像に基づいて、当該物品の物品説明情報を取得するための第１の取得ユニットと、を備える。
【０１２０】
好ましくは、当該物品の物品情報は、さらに、当該物品の鮮度を含み
第２の取得モジュール４０２は、
収納ボックスに収納された物品の、当該物品を冷蔵庫に入れるときのタイミング、若しくは最後に当該物品の鮮度を計算するときのタイミングである第１のタイミングの鮮度を取得するための第２の取得ユニットと、
現在タイミング、当該状態情報、当該第１のタイミング、および当該物品の第１のタイミングの鮮度に基づいて、当該物品の鮮度を計算するための計算ユニットとを、さらに備える。
【０１２１】
好ましくは、第２の取得モジュール４０２は、
当該物品の第１のタイミングの鮮度を、計算された鮮度に更新し、当該物品の第１のタイミングを現在タイミングに更新するための更新ユニットとを、さらに備える。
【０１２２】
好ましくは、第２の取得モジュール４０２は、
収納ボックスのドアを閉めたと検出する場合、収納ボックスの収納室に対して撮影を行い、収納室の室内画像を得るための撮影ユニットと、
最後に収納ボックスのドアを閉めたときに収納ボックス内に収納された物品の物品説明情報および位置情報を取得するための第３の取得ユニットと、
収納室の室内画像、および最後に収納ボックスのドアを閉めたときに収納ボックス内に収納された物品の物品説明情報と位置情報に基づいて、収納ボックスに最も新しく入れる物品を取得するための第４の取得ユニットと、
現在タイミングを収納ボックスに最も新しく入れる物品の第１のタイミングに確定し、および収納ボックスに最も新しく入れる物品の第１のタイミングの鮮度を、ディフォルト鮮度に設置するための確定ユニットとを、さらに備える。
【０１２３】
好ましくは、計算ユニットは、
下記の式：
2016537733.tif 000028
により物品の鮮度を計算することに用いられる。
（式中、Ｘは物品の鮮度であり、Ｘ０は物品の第１のタイミングの鮮度であり、ｔ１は現在タイミングであり、ｔ０は第１のタイミングであり、Ｔは減衰サイクルの長さであり、Ａは一つの減衰サイクルにおける鮮度減衰標準値であり、Ｂは物品の減衰係数であり、Ｔ１は物品のある収納室の温度であり、Ｔ０は経験温度であり、ＴＣは温度係数であり、Ｈ１は物品のある収納室の湿度であり、Ｈ０は経験湿度であり、ＨＣは湿度係数であり、Ｐ１は物品のある収納室の細菌密度であり、Ｐ０は経験細菌密度であり、ＰＣは細菌密度係数である。）
【０１２４】
好ましくは、第１の取得モジュール４０１は、
ユーザに対応するモバイル端末から送信された取得指令を受信し、取得指令の指示に基づいて、収納ボックスの収納ボックス情報を取得するための第５の取得ユニット、
または、
収納ボックスの収納ボックス情報を周期的に取得するための第６の取得ユニット
を備える。
【０１２５】
好ましくは、送信モジュール４０３は、
鮮度が所定の閾値未満である物品を選択するための選択ユニットと、
選択された物品の物品情報をユーザに対応するモバイル端末へ送信するための送信ユニットと、を備える。
【０１２６】
本発明の実施例において、モバイル端末から送信された取得指令を受信し、収納ボックスの収納ボックス情報を取得し、当該収納ボックス情報は、少なくとも収納ボックスの収納室の室内画像を含み、当該収納ボックス情報に基づいて、収納ボックスに収納された物品の物品情報を取得し、当該物品の物品情報は、少なくとも当該物品の物品説明情報を含み、当該物品の物品情報をユーザに対応するモバイル端末へ送信し、したがって、ユーザが収納ボックスに対するリモートモニターおよびリモート制御を実現することができ、ユーザが収納ボックスに収納された物品を忘れることを避ける。
【０１２７】
実施例５
同一技術的構想に基づいて、本発明の実施例では、さらに、図５に示すように、
収納ボックスに収納された物品の、少なくとも物品説明情報を含む物品情報を受信するための受信モジュール５０１と、
当該物品の物品情報をユーザへ表示するための表示モジュール５０２と、を備える物品情報の受信装置を提供する。
【０１２８】
好ましくは、当該装置は、
収納ボックスが収納ボックスに収納された物品の物品情報を取得して送信するように、ユーザから入力された取得指令を取得し、取得指令を収納ボックスへ送信するための第２の取得モジュールを、さらに備える。
【０１２９】
好ましくは、当該装置は、
ユーザから入力された操作タイプを付加する制御指令を取得するための第１の取得モジュールと、
当該制御指令を収納ボックスへ送信し、収納ボックスが当該操作タイプに対応する操作を実行するように制御するための送信モジュールとを、さらに備える。
【０１３０】
本発明の実施例では、収納ボックスに収納された物品の物品情報を受信し、当該物品の物品情報をユーザへ表示し、ユーザから入力された制御指令を取得し、当該制御指令が操作タイプを付加し、当該制御指令を収納ボックスへ送信し、収納ボックスが当該操作タイプに対応する操作を実行するように制御し、したがって、ユーザが収納ボックスに対するリモートモニターおよびリモート制御を実現し、ユーザが収納ボックスに収納された物品を忘れることを避ける。
【０１３１】
実施例６
図６は、例示的な実施例に係る物品情報を送信する端末８００を示すブロック図である。例えば、端末８００は、携帯電話、コンピュータ、デジタル放送端末、メッセージ送受信機器、ゲーム機、タブレット装置、医療機器、フィットネス機器、パーソナルデジタルアシスタントであってもよい。
【０１３２】
図６に示すように、端末８００は、プロセスアセンブリ８０２、メモリ８０４、電源アセンブリ８０６、マルチメディアアセンブリ８０８、オーディオアセンブリ８１０、入力／出力（Ｉ／Ｏ）インタフェース８１２、センサアセンブリ８１４、および通信アセンブリ８１６のような１つ以上のアセンブリを含んでもよい。
【０１３３】
プロセスアセンブリ８０２は、一般的には端末８００全体の操作を制御するものであり、例えば、表示、電話呼び出し、データ通信、カメラ操作、及び記録操作と関連する操作を制御する。プロセスアセンブリ８０２は、１つ以上のプロセッサ８２０を含み、これらによって指令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１３４】
メモリ８０４は、各種類のデータを記憶することにより端末８００の操作を支援するように構成される。これらのデータの例は、端末８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１３５】
電源アセンブリ８０６は、端末８００の多様なアセンブリに電力を供給する。電源アセンブリ８０６は、電源管理システム、一つ以上の電源、及び端末８００のための電力の生成、管理及び割り当てに関連する他のアセンブリを含んでもよい。
【０１３６】
マルチメディアアセンブリ８０８は、前記端末８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３７】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１３８】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１３９】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１４０】
通信アセンブリ８１６は、端末８００と他の機器の間に有線、又は無線形態の通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１４１】
例示的な実施例において、端末８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１４２】
例示的な実施例では、さらに、指令を含むコンピュータ読み取り可能な非一時的な記憶媒体、例えば、指令を含むメモリ８０４を提供しており、端末８００のプロセッサ８２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピー（登録商標）ディスク、および光データ記憶デバイスなどであってもよい。
【０１４３】
コンピュータ読み取り可能な非一時的な記憶媒体は、端末のプロセッサにより前記記憶媒体中の指令が実行される場合、端末に次の物品情報の送信方法を実行させることができる。当該方法は、
収納ボックスの収納ボックス情報を取得するステップと、
前記収納ボックス情報に基づいて、前記収納ボックスに収納された物品の、少なくとも物品説明情報を含む物品情報を取得するステップと、
前記物品の物品情報を、ユーザに対応するモバイル端末へ送信するステップと、を含む。
【０１４４】
好ましくは、前記収納ボックス情報に基づいて、前記収納ボックスの物品情報を取得するステップは、
前記収納室の室内画像から物品の画像を識別するステップと、
前記物品の画像に基づいて、前記物品の説明情報を取得するステップと、を含む。
【０１４５】
好ましくは、前記収納ボックス情報は、さらに前記収納ボックスの状態情報を含み、前記状態情報は、前記収納ボックスの収納室の温度、湿度、および細菌密度のうちの少なくとも一つを含み、前記物品の物品情報は、さらに前記物品の鮮度を含む。
【０１４６】
前記収納ボックス情報に基づいて、前記収納ボックスに収納された物品の物品情報を取得するステップは、
前記収納ボックスに収納された物品の、前記物品を冷蔵庫に入れるときのタイミング、若しくは最後に前記物品の鮮度を計算するときのタイミングである第１のタイミングの鮮度を取得するステップと、
現在タイミング、前記状態情報、前記第１のタイミング、および前記物品の第１のタイミングの鮮度に基づいて、前記物品の鮮度を計算するステップとを、さらに含む。
【０１４７】
好ましくは、前記方法は、
前記物品の第１のタイミングの鮮度を前記計算された鮮度に更新し、前記物品の第１のタイミングを現在タイミングに更新するステップをさらに含む。
【０１４８】
好ましくは、前記方法は、
前記収納ボックスのドアを閉めたと検出する場合、前記収納ボックスの収納室に対して撮影を行い、前記収納室の室内画像を得るステップと、
最後に前記収納ボックスのドアを閉めたときに前記収納ボックス内に収納された物品の物品説明情報および位置情報を取得するステップと、
前記収納室の室内画像、および最後に前記収納ボックスのドアを閉めたときに前記収納ボックス内に収納された物品の物品説明情報と位置情報に基づいて、前記収納ボックスに最も新しく入れる物品を取得するステップとを、さらに含む。
【０１４９】
現在タイミングを前記収納ボックスに最も新しく入れる前記物品の第１のタイミングに確定し、および前記収納ボックスに最も新しく入れる前記物品の第１のタイミングの鮮度を、ディフォルト鮮度に設置する。
【０１５０】
好ましくは、前記現在タイミング、前記状態情報、前記第１のタイミング、および前記物品の第１のタイミングの鮮度に基づいて、前記物品の鮮度を計算するステップにおいて、
下記の式：
2016537733.tif 000029
により物品の鮮度を計算する。
（式中、Ｘは、前記物品の鮮度であり、Ｘ０は、前記物品の第１のタイミングの鮮度であり、ｔ１は、前記現在タイミングであり、ｔ０は、前記第１のタイミングであり、Ｔは、減衰サイクルの長さであり、Ａは、一つの減衰サイクルにおける鮮度減衰標準値であり、Ｂは、物品の減衰係数であり、Ｔ１は、前記物品のある収納室の温度であり、Ｔ０は、経験温度であり、ＴＣは、温度係数であり、Ｈ１は、前記物品のある収納室の湿度であり、Ｈ０は、経験湿度であり、ＨＣは、湿度係数であり、Ｐ１は、前記物品のある収納室の細菌密度であり、Ｐ０は、経験細菌密度であり、ＰＣは、細菌密度係数である。）
【０１５１】
好ましくは、前記収納ボックスの収納ボックス情報を取得するステップは、
前記ユーザに対応するモバイル端末から送信された取得指令を受信し、前記取得指令の指示に基づいて、収納ボックスの収納ボックス情報を取得するステップ、
または、
前記収納ボックスの収納ボックス情報を周期的に取得するステップを含む。
【０１５２】
選択的に、前記物品の物品情報を、ユーザに対応するモバイル端末へ送信するステップは、
鮮度が所定の閾値未満である物品を選択するステップと、
選択された物品の物品情報をユーザに対応するモバイル端末へ送信するステップと、を含む。
【０１５３】
実施例７
図７は、例示的な実施例に係る物品情報を受信するためのモバイル端末９００を示すブロック図である。例えば、モバイル端末９００は、携帯電話、コンピュータ、デジタル放送端末、メッセージ送受信機器、ゲーム機、タブレット装置、医療機器、フィットネス機器、パーソナルデジタルアシスタントであってもよい。
【０１５４】
図７に示すように、モバイル端末９００は、プロセスアセンブリ９０２、メモリ９０４、電源アセンブリ９０６、マルチメディアアセンブリ９０８、オーディオアセンブリ９１０、入力／出力（Ｉ／Ｏ）インタフェース９１２、センサアセンブリ９１４、および通信アセンブリ９１６のような１つ以上のアセンブリを含んでもよい。
【０１５５】
プロセスアセンブリ９０２は、一般的には端末９００全体の操作を制御するものであり、例えば、表示、電話呼び出し、データ通信、カメラ操作、及び記録操作と関連する操作を制御する。プロセスアセンブリ９０２は、１つ以上のプロセッサ９２０を含み、これらによって指令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１５６】
メモリ９０４は、各種類のデータを記憶することによりモバイル端末９００の操作を支援するように構成される。これらのデータの例は、モバイル端末９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１５７】
電源アセンブリ９０６は、モバイル端末９００のの多様なアセンブリに電力を供給する。電源アセンブリ９０６は、電源管理システム、一つ以上の電源、及びモバイル端末９００のための電力の生成、管理及び割り当てに関連する他のアセンブリを含んでもよい。
【０１５８】
マルチメディアアセンブリ９０８は、前記モバイル端末９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記の実施例において、マルチメディアアセンブリ９０８は、一つのフロントカメラ、及び／又はリアカメラを含む。モバイル端末９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１５９】
オーディオアセンブリ９１０は、オーディオ信号を入出力するように構成されてもよい。例えば、オーディオアセンブリ９１０は、一つのマイク（ＭＩＣ）を含み、モバイル端末９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１６０】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１６１】
センサアセンブリ９１４は、モバイル端末９００に各方面の状態に対する評価を提供するための一つ以上のセンサを含む。例えば、センサアセンブリ９１４は、モバイル端末９００のＯＮ／ＯＦＦ状態、モバイル端末９００のディスプレイとキーパッドのようなアセンブリの相対的な位置決めを検出できる。また、例えば、センサアセンブリ９１４は、モバイル端末９００、或はモバイル端末９００の一つのアセンブリの位置変更、ユーザとモバイル端末９００とが接触しているか否か、モバイル端末９００の方位、又は加速／減速、モバイル端末９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１６２】
通信アセンブリ９１６は、モバイル端末９００と他の機器の間に有線、又は無線形態の通信を提供する。モバイル端末９００は、例えばＷｉＦｉ、２Ｇ、３Ｇ、或はこれらの組み合わせのような、通信規格に基づいた無線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１６３】
例示的な実施例において、モバイル端末９００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１６４】
例示的な実施例では、さらに、指令を含むコンピュータ読み取り可能な非一時的な記憶媒体、例えば、指令を含むメモリ９０４を提供しており、モバイル端末９００のプロセッサ９２０により前記指令を実行して上記方法を実現する。例えば、コンピュータ読み取り可能な非一時的な記憶媒体は、ＲＯＭ、ＲＡＭ、ＣＤ−ＲＯＭ、磁気テープ、フロッピー（登録商標）ディスク、および光データ記憶デバイスなどであってもよい。
【０１６５】
コンピュータ読み取り可能な非一時的な記憶媒体は、端末のプロセッサにより前記記憶媒体中の指令が実行される場合、端末に次の収納ボックスの制御方法を実行させることができる。当該方法は、
収納ボックスに収納された物品の、少なくとも物品説明情報を含む物品情報を受信するステップと、
前記物品の物品情報をユーザへ表示するステップと、を含む。
【０１６６】
好ましくは、前記方法は、
前記収納ボックスが前記収納ボックスに収納された物品の物品情報を取得して送信するように前記ユーザから入力された取得指令を取得し、前記取得指令を収納ボックスへ送信するステップを、さらに含む。
【０１６７】
選択的に、前記方法は、
前記ユーザから入力された操作タイプを付加する制御指令を取得するステップと、
制御指令を収納ボックスへ送信して、前記収納ボックスが前記操作タイプに対応する操作を実行するように制御するステップとを、さらに含む。
【０１６８】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【０１６９】
本発明は、以上のように説明すると共に図面に示された正確な構造に限られず、その要旨を逸脱しない範囲内で各種の補正及び変更を行うことができると理解すべきである。本発明の範囲は、特許請求の範囲のみで限定される。
【国際調査報告】
2016537733.tif 000030
2016537733.tif 000031
2016537733.tif 000032
2016537733.tif 000033
2016537733.tif 000034
2016537733.tif 000035